(57)【特許請求の範囲】
【請求項１】
ユーザから操作対象機器の操作を指示する操作指示情報の入力を受け付け、当該操作対象機器をリモートコントロールするリモートコントロール端末と、特定の構内通信網、又は広域通信網を介して通信可能に構成されると共に、当該リモートコントロール端末と予め関連付けて登録された無線機器と、当該特定の構内通信網を介して通信可能に構成され、
上記操作指示情報に対応したリモコン信号を発信して上記操作対象機器を操作するサーバであって、
上記操作指示情報ごとに、上記特定の構内通信網又は上記広域通信網のいずれの通信網を経由した場合に、当該操作指示情報に基づくリモコン操作の実行を許可あるいは禁止するかを記憶する許否情報記憶手段と、
上記リモートコントロール端末から、操作指示情報を受信する操作指示情報受信手段と、
上記受信した操作指示情報について、上記特定の構内通信網又は上記広域通信網のいずれの通信網を経由して受信したかを判別する通信網判別手段と、
上記判別の結果に応じて、上記許否情報記憶手段を参照し、上記受信した操作指示情報の実行許否を判断すると共に、上記無線機器と上記特定の構内通信網を介して通信を確立しているときには、上記受信した操作指示情報は上記特定の構内通信網を経由して受信したものとして、上記許否情報記憶手段を参照し、上記操作指示情報の実行許否を判断する操作許否判断手段と、
上記判断の結果、上記操作指示情報に基づくリモコン操作が許可される場合に、上記操作指示情報に基づくリモコン信号を、上記操作対象機器に対して発信するリモコン信号発信手段と、を有する、
ことを特徴とするリモコンサーバ。
【請求項２】
ユーザから操作対象機器の操作を指示する操作指示情報の入力を受け付け、当該操作対象機器をリモートコントロールするリモートコントロール端末と、特定の構内通信網、又は広域通信網を介して通信可能に構成されると共に、当該リモートコントロール端末と予め関連付けて登録された無線機器と、当該特定の構内通信網を介して通信可能に構成され、
上記操作指示情報ごとに、上記特定の構内通信網又は上記広域通信網のいずれの通信網を経由した場合に、当該操作指示情報に基づくリモコン操作の実行を許可あるいは禁止するかを記憶する許否情報記憶手段、を有するサーバにより、
上記操作指示情報に対応したリモコン信号を発信して上記操作対象機器を操作する方法であって、
上記リモートコントロール端末から、操作指示情報を受信する操作指示情報受信処理と、
上記受信した操作指示情報について、上記特定の構内通信網又は上記広域通信網のいずれの通信網を経由して受信したかを判別する通信網判別処理と、
上記判別の結果に応じて、上記許否情報記憶手段を参照し、上記受信した操作指示情報の実行許否を判断すると共に、上記無線機器と上記特定の構内通信網を介して通信を確立しているときには、上記受信した操作指示情報は上記特定の構内通信網を経由して受信したものとして、上記許否情報記憶手段を参照し、上記操作指示情報の実行許否を判断する操作許否判断処理と、
上記判断の結果、上記操作指示情報に基づくリモコン操作が許可される場合に、上記操作指示情報に基づくリモコン信号を、上記操作対象機器に対して発信するリモコン信号発信処理と、を実行する、
ことを特徴とするリモートコントロール方法。
【請求項３】
ユーザから操作対象機器の操作を指示する操作指示情報の入力を受け付け、当該操作対象機器をリモートコントロールするリモートコントロール端末と、特定の構内通信網、又は広域通信網を介して通信可能に構成されると共に、当該リモートコントロール端末と予め関連付けて登録された無線機器と、当該特定の構内通信網を介して通信可能に構成され、
上記操作指示情報ごとに、上記特定の構内通信網又は上記広域通信網のいずれの通信網を経由した場合に、当該操作指示情報に基づくリモコン操作の実行を許可あるいは禁止するかを記憶する許否情報記憶手段、を有するサーバを、
上記操作指示情報に対応したリモコン信号を発信して上記操作対象機器を操作するリモコンサーバとして機能させるためのコンピュータプログラムであって、
上記リモートコントロール端末から、操作指示情報を受信する操作指示情報受信処理と、
上記受信した操作指示情報について、上記特定の構内通信網又は上記広域通信網のいずれの通信網を経由して受信したかを判別する通信網判別処理と、
上記判別の結果に応じて、上記許否情報記憶手段を参照し、上記受信した操作指示情報の実行許否を判断すると共に、上記無線機器と上記特定の構内通信網を介して通信を確立しているときには、上記受信した操作指示情報は上記特定の構内通信網を経由して受信したものとして、上記許否情報記憶手段を参照し、上記操作指示情報の実行許否を判断する操作許否判断処理と、
上記判断の結果、上記操作指示情報に基づくリモコン操作が許可される場合に、上記操作指示情報に基づくリモコン信号を、上記操作対象機器に対して発信するリモコン信号発信処理と、を実行させる、
コンピュータプログラム。
【発明の詳細な説明】
【技術分野】
【０００１】
本発明は、複数の通信網を介して操作対象機器をリモートコントロールする技術に関する。
【背景技術】
【０００２】
最近の家電製品は、ユーザが離れた位置から操作することができるように、リモートコントロール装置（リモコン）を備えたものが多い。
しかしながら、リモコンは家電製品ごとに用意されているため、家電製品ごとのリモコンを使用しなければならず、不便であって。
また、宅外にいるユーザが、宅外からエアコンを予め動作させておき、帰宅時に快適な環境にするといったように、自宅内の家電製品を、自宅外から操作したいという要望があった。
【０００３】
一方において現在、携帯電話通信網などの広域通信網と、無線ＬＡＮ（Local Area Network）などの構内通信網の両方に接続可能なインタフェースを搭載した携帯端末が提供されているが、かなり普及してきており、携帯端末として主流になりつつある。
【０００４】
このような状況の下、特許文献１では、携帯電話網又は無線ＬＡＮ網を介して電話端末又はネットワーク上のサイトに接続する通話／通信機能と、近距離無線通信機能付きの電気製品との間で通信して当該電気製品を遠隔操作するリモコン機能とを備えたハンディサーバが提供されている。
また、特許文献２では、携帯電話機が、インターネットを介してサイトより操作対象となる家電メーカーのリモコンコードを取得し、当該取得したリモコンコードに対応するコマンドをリモコンステーションに送信し、リモコンステーションがこのコマンドを赤外線信号に変換して、操作対象となる電気機器を操作するシステムが提案されている。
【先行技術文献】
【特許文献】
【０００５】
【特許文献１】特開２００９―４９６５４号公報
【特許文献２】特開２００７―１１６４８４号公報
【発明の概要】
【発明が解決しようとする課題】
【０００６】
上記特許文献１のハンディサーバは、携帯電話網又は無線ＬＡＮと接続可能で、リモコン機能を備えているが、携帯電話網又は無線ＬＡＮ網と接続可能としている点は、単に利用可能な通信網の幅を広げているに過ぎない。
また、上記特許文献２では、遠隔からでも、複数の家電製品を、単一のリモコンステーションで操作できる。しかしながら、携帯端末から受け付けた遠隔操作の指示を単純に実行するだけの場合、当該操作による家電製品の動作によって宅内で危険な状況が生じても、何ら対応できない可能性がある。例えば、宅外からヒーターなどの操作を受け付けて実行する場合、宅内に誰もいなければ、不測の事態が起こっても対処のしようがない。
【０００７】
そこで、本発明は、ユーザが利用する端末から、操作対象機器の操作の指示を受け付けた際、当該端末が通信を確立している通信網の種別を判別して、その種別に応じて操作の実行の許否を判別する技術を提供することを目的とする。
【課題を解決するための手段】
【０００８】
上記目的を達成するため、本発明の一の観点に係るリモートコントロール端末は、ユーザから操作対象機器の操作を指示する操作指示情報を受け付け、当該操作指示情報に対応したリモコン信号を発信して当該操作対象機器を操作するリモコンサーバと、特定の構内通信網、又は広域通信網を介して通信可能に構成され、ユーザから上記操作指示情報の入力を受け付け、上記リモコンサーバを介して上記操作対象機器をリモートコントロールする端末であって、上記操作指示情報ごとに、上記特定の構内通信網又は上記広域通信網のいずれの通信網を経由した場合に、当該操作指示情報に基づくリモコン操作の実行を許可あるいは禁止するかを記憶する許否情報記憶手段と、上記ユーザによる操作指示情報の入力を受け付ける操作指示情報受付手段と、上記特定の構内通信網又は上記広域通信網のいずれと通信を確立しているかを判別する通信網判別手段と、上記判別の結果に応じて、上記許否情報記憶手段を参照し、上記受け付けた操作指示情報の実行許否を判断する操作許否判断手段と、上記判断の結果、上記操作指示情報に基づくリモコン操作が許可される場合に、上記リモコンサーバに対し、上記受け付けた操作指示情報を送信する操作指示情報送信手段と、を有することを特徴とする。
【０００９】
操作対象機器とは例えば、リモコンによる操作が可能な、エアコンやテレビといった電子機器である。
広域通信網とは例えば、ＣＤＭＡ(Code Division Multiple Access)方式の携帯電話通信網である。
構内通信網は例えば、ＩＥＥＥ８０２．１１準拠の無線ＬＡＮや、Bluetooth（登録商標）、IrDA、Zigbee（登録商標）、特定小電力無線などの通信網である。
【００１０】
また、本発明の別の観点に係るリモートコントロール端末は、ユーザから操作対象機器の操作を指示する操作指示情報を受け付け、当該操作指示情報に対応したリモコン信号を発信して当該操作対象機器を操作するリモコンサーバと、特定の構内通信網、又は広域通信網を介して通信可能に構成され、ユーザから上記操作指示情報の入力を受け付け、上記リモコンサーバを介して上記操作対象機器をリモートコントロールする端末であって、上記操作指示情報ごとに、上記特定の構内通信網又は上記広域通信網のいずれの通信網を経由した場合に、当該操作指示情報に基づくリモコン操作の実行確認を要するかを記憶する許否情報記憶手段と、上記ユーザによる操作指示情報の入力を受け付ける操作指示情報受付手段と、上記特定の構内通信網又は上記広域通信網のいずれと通信を確立しているかを判別する通信網判別手段と、上記判別の結果に応じて、上記許否情報記憶手段を参照し、上記受け付けた操作指示情報の実行確認有無を判断する上記操作許否判断手段と、上記判断の結果、上記操作指示情報に基づくリモコン操作の確認を要する場合に、上記リモコン操作の実行確認ダイアログを表示する実行確認手段と、上記実行確認の結果、上記操作指示情報に基づくリモコン操作が許可された場合に、上記リモコンサーバに対し、上記受け付けた操作指示情報を送信する操作指示情報送信手段と、を有することを特徴とする。
【００１１】
また、上記特定の構内通信網は、識別情報を発信する、特定の通信中継装置によって形成されており、上記特定の中継装置から発信されている識別情報を検知する識別情報検知手段と、上記識別情報を検知したときには、上記特定の通信中継装置によって形成された特定の構内通信網との通信を確立し、上記識別情報が検知されないときには、上記広域通信網との通信を確立する通信確立手段と、上記確立した通信網の種別に関する情報を記憶する通信状況記憶手段と、をさらに有し、上記通信網判別手段は、上記通信状況記憶手段を参照して、上記特定の構内通信網又は上記広域通信網のいずれと通信を確立しているかを判別するものとしてもよい。
【００１２】
また、本発明の別の観点に係るリモートコントロールサーバは、ユーザから操作対象機器の操作を指示する操作指示情報の入力を受け付け、当該操作対象機器をリモートコントロールするリモートコントロール端末と、特定の構内通信網、又は広域通信網を介して通信可能に構成され、上記操作指示情報に対応したリモコン信号を発信して上記操作対象機器を操作するサーバであって、上記操作指示情報ごとに、上記特定の構内通信網又は上記広域通信網のいずれの通信網を経由した場合に、当該操作指示情報に基づくリモコン操作の実行を許可あるいは禁止するかを記憶する許否情報記憶手段と、上記ユーザ端末から、操作指示情報を受信する操作指示情報受信手段と、上記受信した操作指示情報について、上記特定の構内通信網又は上記広域通信網のいずれの通信網を経由して受信したかを判別する通信網判別手段と、上記判別の結果に応じて、上記許否情報記憶手段を参照し、上記受信した操作指示情報の実行許否を判断する操作許否判断手段と、上記判断の結果、上記操作指示情報に基づくリモコン操作が許可される場合に、上記操作指示情報に基づくリモコン信号を、上記操作対象機器に対して発信するリモコン信号発信手段と、を有することを特徴とする。
【００１３】
また、上記リモートコントロール端末と予め関連付けて登録された無線機器と、上記特定の構内通信網を介して通信可能に構成され、上記操作許否判断手段は、上記無線機器と上記特定の構内通信網を介して通信を確立しているときには、上記受信した操作指示情報は上記特定の構内通信網を経由して受信したものとして、上記許否情報記憶手段を参照し、上記操作指示情報の実行許否を判断するものとしてもよい。
【００１４】
また、本発明の別の観点に係るリモートコントロール方法は、ユーザから操作対象機器の操作を指示する操作指示情報を受け付け、当該操作指示情報に対応したリモコン信号を発信して当該操作対象機器を操作するリモコンサーバと、特定の構内通信網、又は広域通信網を介して通信可能に構成され、上記操作指示情報ごとに、上記特定の構内通信網又は上記広域通信網のいずれの通信網を経由した場合に、当該操作指示情報に基づくリモコン操作の実行を許可あるいは禁止するかを記憶する許否情報記憶手段、を有するコンピュータにより、ユーザから上記操作指示情報の入力を受け付け、上記リモコンサーバを介して上記操作対象機器をリモートコントロールする方法であって、上記ユーザによる操作指示情報の入力を受け付ける処理と、上記特定の構内通信網又は上記広域通信網のいずれと通信を確立しているかを判別する処理と、上記判別の結果に応じて、上記許否情報記憶手段を参照し、上記受け付けた操作指示情報の実行許否を判断する処理と、上記判断の結果、上記操作指示情報に基づくリモコン操作が許可される場合に、上記リモコンサーバに対し、上記受け付けた操作指示情報を送信する処理と、を実行することを特徴とする。
【００１５】
また、本発明の別の観点に係るコンピュータプログラムは、ユーザから操作対象機器の操作を指示する操作指示情報を受け付け、当該操作指示情報に対応したリモコン信号を発信して当該操作対象機器を操作するリモコンサーバと、特定の構内通信網、又は広域通信網を介して通信可能に構成され、上記操作指示情報ごとに、上記特定の構内通信網又は上記広域通信網のいずれの通信網を経由した場合に、当該操作指示情報に基づくリモコン操作の実行を許可あるいは禁止するかを記憶する許否情報記憶手段、を有するコンピュータを、ユーザから上記操作指示情報の入力を受け付け、上記リモコンサーバを介して上記操作対象機器をリモートコントロールするリモートコントロール装置として機能させるためのプログラムであって、上記ユーザによる操作指示情報の入力を受け付ける処理と、上記特定の構内通信網又は上記広域通信網のいずれと通信を確立しているかを判別する処理と、上記判別の結果に応じて、上記許否情報記憶手段を参照し、上記受け付けた操作指示情報の実行許否を判断する処理と、上記判断の結果、上記操作指示情報に基づくリモコン操作が許可される場合に、上記リモコンサーバに対し、上記受け付けた操作指示情報を送信する処理と、を実行させる。
【発明の効果】
【００１６】
本発明によれば、ユーザが利用する端末から、操作対象機器の操作の指示を受け付けた際、当該端末が通信を確立している通信網の種別を判別して、その種別に応じて操作の実行の許否を判別することができる。
【図面の簡単な説明】
【００１７】
【図１】本発明の実施形態に係るリモートコントロールシステムの概要を示す概要図である。
【図２】本実施形態に係るリモートコントロールシステムが備える機能を示した機能ブロック図である。
【図３】本実施形態に係る許否情報記憶部に記憶されるデータの一例を示した図である。
【図４】本実施形態に係る信号情報記憶部に記憶されるデータの一例を示した図である。
【図５】本実施形態に係るリモートコントロールシステムにおいて、通信網との通信を確立する処理の流れを示した処理フロー図である。
【図６】本実施形態に係るリモートコントロールシステムにおいて、操作指示情報に係る操作を実行する処理の流れを示したシーケンス図である。
【図７】本発明の別の実施形態に係るリモートコントロールシステムが備える機能を示した機能ブロック図である。
【図８】本実施形態に係るリモートコントロールシステムにおいて、操作指示情報に係る操作を実行する処理の流れを示したシーケンス図である。
【図９】本発明の別の実施形態に係るリモートコントロールシステムが備える機能を示した機能ブロック図である。
【図１０】本発明の別の実施形態に係るリモートコントロールシステムが備える機能を示した機能ブロック図である。
【図１１】本発明の参考例において、各端末又は装置が備える機能を示した機能ブロック図である。
【図１２】本例において、通信網に応じたＵＩを展開する処理の流れを示した処理フロー図である。
【図１３】本発明の別の参考例において、各端末又は装置が備える機能を示した機能ブロック図である。
【図１４】本例における切替情報記憶部に記憶されるデータの一例を示した図である。
【図１５】本例において、通信網の切替に応じた操作指示情報に係る操作を実行する処理の流れを示したシーケンス図である。
【図１６】本発明の別の参考例において、各端末又は装置が備える機能を示した機能ブロック図である。
【図１７】本例における競合情報記憶部に記憶されるデータの一例を示した図である。
【図１８】本例における履歴情報記憶部に記憶されるデータの一例を示した図である。
【図１９】本例において、操作指示情報の競合を防いで、操作指示情報に係る操作を実行する処理の流れを示す処理フロー図である。
【図２０】本発明の別の参考例において、ＵＩを作成・編集する際の画面例を示す図である。
【図２１】本例において、各端末又は装置が備える機能を示した機能ブロック図である。
【図２２】本発明の別の参考例において、各端末又は装置が備える機能を示した機能ブロック図である。
【図２３】本例における履歴情報記憶部に記憶されるデータの一例を示した図である。
【図２４】本例におけるレコメンド情報記憶部に記憶されるデータの一例を示した図である。
【図２５】本例において、履歴情報に基づいたレコメンドを行う処理の流れを示したシーケンス図である。
【図２６】本発明の別の参考例において、各端末又は装置が備える機能を示した機能ブロック図である。
【図２７】本例における条件情報記憶部に記憶されるデータの一例を示した図である。
【図２８】本例において、条件情報に対応した操作指示情報に係る操作が実行される処理の流れを示すシーケンス図である。
【図２９】本発明の別の参考例において、各端末又は装置が備える機能を示した機能ブロック図である。
【図３０】本発明の別の参考例において、各端末又は装置が備える機能を示した機能ブロック図である。
【図３１】本例において、条件情報記憶部に記憶されるデータの一例を示した図である。
【図３２】本例において、条件情報に対応した操作指示情報に係る操作が実行される処理の流れを示すシーケンス図である。
【図３３】本発明の別の参考例において、各端末又は装置が備える機能を示した機能ブロック図である。
【図３４】本例において、条件情報記憶部に記憶されるデータの一例を示した図である。
【図３５】本例において、ユーザ状況記憶部に記憶されるデータの一例を示した図である。
【図３６】本例において、条件情報に対応した操作指示情報に係る操作が実行される処理の流れを示すシーケンス図である。
【発明を実施するための形態】
【００１８】
図１に示されるように、本実施形態に係るリモートコントロールシステムは、携帯端末１、通信中継装置２、外部サーバ３、リモコンサーバ４、及び操作対象機器５とから構成される。
【００１９】
携帯端末１は、本システムのユーザが利用する端末であって、例えば、携帯電話機やPDA（Personal Digital Assistance）などで構成される。
この携帯端末１は、広域通信網ＮＷ１及び、特定の構内通信網ＮＷ２と通信を確立し、リモコンサーバ４に操作指示情報を送信する。
【００２０】
ここで、操作指示情報とは、操作対象機器５の動作を指示する情報である。
また、広域通信網ＮＷ１とは例えば、携帯電話網やインターネット網などの公衆通信網であり、比較的大規模な通信網をいい、異なる建物や、異なる地域にある通信端末同士の情報送受信を可能とするような通信網をいう。
なお、本例における広域通信網ＮＷ１との通信には、特定の構内通信網ＮＷ２以外の構内通信網を経由した通信を含む。即ち、本例における特定の構内通信網ＮＷ２は、通信中継装置２によって形成された、リモコンサーバ４が接続している構内通信網である。特に本例では、リモコンサーバ４が設置されているユーザの自宅内に形成された無線ＬＡＮ網などが想定されている。したがって、自宅外において不特定の公衆向けに形成されている無線ＬＡＮを介して広域通信網ＮＷ１を利用するような場合には、広域通信網ＮＷ１との通信とみなす。
【００２１】
また、構内通信網ＮＷ２とは例えば、無線ＬＡＮなど、広域通信網よりも規模が小さく、領域が限定された通信網であり、広くても一施設内程度の規模で用いられ、当該一施設内にある通信端末同士の情報送受信を可能とするような通信網をいう。構内通信網ＮＷ２が広域通信網ＮＷ１に接続されていれば、構内通信網ＮＷ２に接続された通信端末から広域通信網ＮＷ１を介した情報の送受信を行うこともできる。
なお、本実施形態で構内通信網ＮＷ２といった場合には、特に断りがない限り、通信中継装置２によって形成され、リモコンサーバ４が接続している特定の構内通信網を指し、この構内通信網ＮＷ２を形成する識別情報は、携帯端末１に登録されている。特に本例では、構内通信網ＮＷ２として、ユーザの自宅内に形成された無線ＬＡＮなどが想定されている。
【００２２】
通信中継装置２は例えば、無線ＬＡＮルータであり、構内通信網ＮＷ２を形成し、アクセスポイントとしての役割を果たす。
【００２３】
外部サーバ３は、携帯端末１が広域通信網ＮＷ１を介してリモコンサーバ４に操作指示情報を送信する際に、当該操作指示情報の伝達を担うサーバであり、例えば、プロキシサーバなどである。
なお、本実施形態において、携帯端末１が構内通信網ＮＷ２を介してリモコンサーバ４に直接アクセスする際には、外部サーバ３は不要である。
【００２４】
リモコンサーバ４は、携帯端末１から操作指示情報を受け付け、当該操作指示情報に基づくリモコン信号を操作対象機器５に発信して、操作対象機器５を操作する装置である。
なお、通信中継装置２とリモコンサーバ４は一体的に構成されていてもよい。この場合には、通信中継装置２とリモコンサーバ４の間のデータの送付信は、構内通信網ＮＷ２に依らない。
【００２５】
操作対象機器５は、リモコンサーバ４からリモコン信号を受信し、リモコン信号に応じた動作を実行する電子機器であり、例えば、テレビやエアコンといった家電機器である。
【００２６】
以上の構成からなるリモートコントロールシステムにおいて、携帯端末１を所持するユーザは、携帯端末１からリモコンサーバ４に対して操作指示情報を送信する。操作指示情報は、携帯端末１が構内通信網ＮＷ２と通信を確立できる場合には構内通信網ＮＷ２を介して、携帯端末１が構内通信網ＮＷ２と通信を確立できず、広域通信網ＮＷ１と通信を確立できる場合には広域通信網ＮＷ１を介して、リモコンサーバ４に送信される。
【００２７】
広域通信網ＮＷ１あるいは構内通信網ＮＷ２を介して、携帯端末１から操作指示情報を受信したリモコンサーバ４は、操作対象機器５に対して、当該操作指示情報に対応したリモコン信号を発信する。
これにより操作対象機器５は、ユーザの指示にしたがって動作する。
【実施例１】
【００２８】
以下、本発明の第一の実施形態に係るリモートコントロールシステムについて説明する。
図２に示されるように、本実施形態に係るリモートコントロールシステムは、携帯端末１Ａ、通信中継装置２Ａ、外部サーバ３Ａ、リモコンサーバ４Ａとからなる。
本例では、広域通信網ＮＷ１又は構内通信網ＮＷ２のいずれを経由して、携帯端末１Ａからリモコンサーバ４Ａに操作指示情報が送信されるかによって、ユーザが要求した操作の実行が許可あるいは禁止される。
【００２９】
本例の具体的な適用場面において、構内通信網ＮＷ２は、ユーザの自宅内に形成された無線ＬＡＮなどの通信網である場合である。そして、携帯端末１Ａが広域通信網ＮＷ１及び構内通信網ＮＷ２のいずれとも通信できる場合には、構内通信網ＮＷ２が優先的に利用され、構内通信網ＮＷ２と通信が可能な場合には、携帯端末１Ａを所持するユーザは自宅内にいるものと推定される。一方、広域通信網ＮＷ１とのみ通信が可能な場合には、ユーザは自宅外にいるものと推定される。
このような推定のもと、携帯端末１Ａが通信を確立している通信網ＮＷ１、ＮＷ２の種別に応じて、ユーザからの操作指示情報の実行許否を決定する。これにより例えば、自宅内にいると推定されるときにはヒーターのスイッチ操作を許可する一方、自宅外にいるときはこれを禁止するといった処理を実現することができる。
【００３０】
携帯端末１Ａは、いわゆる携帯電話機やＰＤＡ（Personal Digital Assistance）などによって構成され、識別情報記憶部１０１、許否情報記憶部１０２、通信状況記憶部１０３、識別情報検知部１０４、通信確立部１０５、通信網判別部１０６、操作許否判断部１０７、入出力部１０８、通信処理部１０９からなる機能ブロックを備える。
【００３１】
識別情報記憶部１０１は、通信中継装置２Ａを識別可能な識別情報を記憶した記憶部である。この識別情報は例えば、ＳＳＩＤ（Service Set Identifier）やＭＡＣアドレス（Media Access Control address）などであって、通信中継装置２Ａから発信されている。
なお、ここで記憶されている識別情報は構内通信網ＮＷ２を形成する、特定の通信中継装置２Ａの識別情報である。この識別情報記憶部１０１に記憶されている識別情報を参照することにより、特定の通信中継装置２Ａによって形成されている構内通信網ＮＷ２を識別することができる。
【００３２】
許否情報記憶部１０２は、携帯端末１Ａが通信を確立している通信網の種別に応じて、ユーザ指定の操作指示情報の実行の許否に関する記憶する記憶部である。
この許否情報記憶部１０２には、図３に示されるように、操作指示情報ごとに、広域通信網ＮＷ１か構内通信網ＮＷ２かの通信網種別に応じて、実行を許可するか否かの情報が関連付けて記憶されている。
【００３３】
通信状況記憶部１０３は、携帯端末１が現在、広域通信網ＮＷ１又は構内通信網ＮＷ２のいずれの通信網と通信を確立しているのか、若しくはいずれの通信網とも通信を確立していないのかという、携帯端末１の通信状況を記憶することができる記憶部である。
この通信状況記憶部１０３に記憶される通信状況は、通信確立部１０５による通信の確立に応じて登録・更新される。
【００３４】
識別情報検知部１０４は、通信中継装置２Ａから発信されている識別情報を検知する。なお、この識別情報検知部１０４は、特定の通信中継装置２Ａから発信されている識別情報のほか、他の不特定の公衆向けに設定されている通信中継装置から発信されている識別情報も検知することができる。
【００３５】
通信確立部１０５は、広域通信網ＮＷ１や構内通信網ＮＷ２との通信を確立する処理を実行する。
【００３６】
通信網判別部１０６は、携帯端末１が現在、通信を確立している通信網の種別を判別する。具体的には、通信を確立している通信網が広域通信網ＮＷ１であるか構内通信網ＮＷ２であるかを判別する。
【００３７】
操作許否判断部１０７は、通信網判別部１０６による判別の結果に応じて、許否情報記憶部１０２を参照し、ユーザによって入力された操作指示情報の実行の許否を判断する処理を実行する。
【００３８】
入出力部１０８は、データの入出力を実行する処理部であって、データを出力するためのディスプレイやスピーカ、データを入力するためのマウスやキーボードなどにより実現される。
なお、入出力部１０８はタッチパネルにより構成することもできるが、この場合には、身体障害者の利用を考慮して、一定時間、特定の部分（ボタンなど）をタッチしっぱなしにしなければ動作しないように設定できる機能をもたせてもよい。
通常は画面上を少しでもタッチすると即時反応してしまうが、このような場合、体を動かしにくい人にとっては誤動作の原因となるため、意識的に一定時間タッチしなければ動作しないようにすることで、誤動作を回避できる。
【００３９】
通信処理部１０９は、広域通信網ＮＷ１や構内通信網ＮＷ２を介して、リモコンサーバ４Ａと所定のプロトコルに従ったデータの送受信処理を実行する処理部であって、Webブラウザ等により実現される。
【００４０】
通信中継装置２Ａは、構内通信網ＮＷ２を形成して、そのアクセスポイントとして機能すると共に、広域通信網ＮＷ１に接続するためのインタフェースを備えており、本例では無線ＬＡＮルータにより実現される。
この通信中継装置２Ａは、設定情報記憶部２０１、識別情報発信部２０２、通信処理部２０３の各機能部を有する。
【００４１】
設定情報記憶部２０１は、通信中継装置２Ａの設定に関する情報を記憶した記憶部である。この設定情報記憶部２０１には、通信中継装置２Ａを識別する識別情報として、ＳＳＩＤやＭＡＣアドレス等が記憶されている。
【００４２】
識別情報発信部２０２は、通信中継装置２Ａを識別可能な識別情報を無線により発信する機能部である。
【００４３】
通信処理部２０３は、携帯端末１Ａとリモコンサーバ４Ａによるデータの送受信を中継する。
【００４４】
外部サーバ３Ａは、携帯端末１Ａが広域通信網ＮＷ１を介してリモコンサーバ４Ａにデータを送信したり、逆にリモコンサーバ４Ａが広域通信網ＮＷ１を介して携帯端末１Ａにデータを送信する際に、当該データの伝達を担うサーバであり、例えば、プロキシサーバなどによって実現される。
【００４５】
リモコンサーバ４Ａは、携帯端末か１Ａから、操作対象機器５に対する操作指示情報を受け付けると共に、当該操作指示情報に対応したリモコン信号を操作対象機器５に発信し、操作対象機器５を操作する装置である。
このリモコンサーバ４Ａは、CPU（Central Processing Unit）などの演算装置、RAM（Random Access Memory）、ROM（Read Only Memory）などの記憶装置により、信号情報記憶部４０１、リモコン信号発信部４０２、制御部４０３、通信処理部４０４からなる機能ブロックを構成する。
【００４６】
信号情報記憶部４０１は、ユーザからの操作指示情報に応じたリモコン信号を記憶する記憶部である。
この信号情報記憶部４０１には例えば、図４に示されるように、携帯端末１Ａから送信されてくる操作指示情報と、これに対応するリモコン信号とが相互に関連付けて記憶されている。
ここで、操作指示情報は、操作対象機器５の動作に関する情報であり、例えば、操作対象機器５の電源のON・OFFといった動作を示す。
また、リモコン信号は、赤外線などの信号の発光パターンや、Bluetooth（登録商標）などの狭域通信信号などであり、操作指示情報の実行を要求する信号である。なお、リモコンサーバ４Ａと操作対象機器５とは結線され、リモコン信号を直接送受信するようになっていてもよい。
【００４７】
リモコン信号発信部４０２は、操作対象機器５に対して、制御部４０３によって指示されたリモコン信号を発信する。
【００４８】
制御部４０３は、携帯端末１Ａから操作指示情報を受信した際に、信号情報記憶部４０１を参照して、当該操作指示情報に応じたリモコン信号を特定した上、リモコン信号発信部４０２を制御して、当該特定したリモコン信号を操作対象機器５に発信させる。
【００４９】
通信処理部４０４は、通信中継装置２Ａを介して、携帯端末１Ａとの間でデータの送受信処理を実行する。
【００５０】
次に、本実施形態に係るリモートコントロールシステムによる処理の流れについて説明する。
まず、図５を参照して、携帯端末１Ａが操作指示情報をリモコンサーバ４Ａに送信する前段階、例えば、携帯端末１Ａにおいて操作指示を行うためのアプリケーション起動時等に、広域通信網ＮＷ１又は構内通信網ＮＷ２と通信を確立する流れを説明する。
携帯端末１Ａは、識別情報検知部１０４により、通信中継装置２Ａによって発信されている識別情報の検知を試みる（Ｓ１０１）。
【００５１】
この結果、識別情報を検知できたときは、識別情報記憶部１０１を参照し、当該識別情報が通信中継装置２Ａのものか否かを判別する（Ｓ１０２）。
この結果、検知した識別情報が、通信中継装置２Ａのものであると判別された場合には、通信確立部１０５によって、通信中継装置２Ａによって形成されている構内通信網ＮＷ２との通信を確立する（Ｓ１０３）。
【００５２】
一方、Ｓ１０１による処理の結果、識別情報を検知できなかった場合、あるいは、Ｓ１０２による処理の結果、検知した識別情報が識別情報記憶部１０１に記憶されているものでなかった場合（検知した識別情報が通信中継装置２Ａのものでなかった場合）には、通信確立部１０５により、広域通信網ＮＷ１との通信の確立を試み（Ｓ１０４）、可能な場合には広域通信網ＮＷ１との通信を確立する（Ｓ１０５）。
なお、広域通信網ＮＷ１との通信の確立には、通信中継装置２Ａによって形成された構内通信網ＮＷ２とは異なる、不特定の公衆向け構内通信網などの構内通信網を介した通信の確立も含まれる。
【００５３】
以上の処理の後、確立した通信状況を通信状況記憶部１０３に登録する（Ｓ１０６）。なお、通信を確立できなかった場合についても、確立できなかったことを通信状況として登録してもよい。
これにより、通信が確立されると共に、通信状況記憶部１０３に通信状況が記憶される。
【００５４】
なお、通信状況は、所定の時間が経過した場合等には、必要に応じてポーリング等を行い、更新するようにしてもよい。
また、広域通信網ＮＷ１との通信を確立しているときに、通信中継装置２Ａから識別情報を検知した際や、構内通信網ＮＷ２との通信を確立しているときに、当該構内通信網ＮＷ２との通信が切断された際など、状況の変化に応じて、以上の処理を再度実行し、通信の再確立、及び通信状況記憶部１０３の更新を行うようにしてもよい。
【００５５】
次に、リモコンサーバ４Ａに対し、携帯端末１Ａから操作指示情報を送信するまでの処理について、図６を参照して説明する。
ユーザが、携帯端末１Ａに対して操作指示情報を入力すると（Ｓ１１１）、通信網判別部１０６は、通信状況記憶部１０３を参照して、通信を確立している通信網の種別を判別する（Ｓ１１２）。
【００５６】
それから操作許否判断部１０７は、判別した通信網の種別に応じて、ユーザによって入力された操作指示情報に係る操作の実行を許可するか禁止するかを判断する（Ｓ１１３）。
この処理では、許否情報記憶部１０２を参照して、判別した通信網を介して、入力された操作指示情報に係る操作の実行が予め許可されたものであるか、それとも禁止されているものであるかを特定することにより実行される。
【００５７】
この結果、実行が認められないものである場合には、携帯端末１Ａ上にエラーメッセージが出力されるなどして、要求された操作指示情報に係る操作の実行が拒否される（Ｓ１１４）。
一方、Ｓ１１３による許否判断の結果、ユーザによって入力された操作指示情報に係る操作の実行が許可される場合には、リモコンサーバ４Ａに対し、操作指示情報が送信される（Ｓ１１５）。
【００５８】
操作指示情報を受信したリモコンサーバ４Ａでは、制御部４０３が信号情報記憶部４０１を参照して操作指示情報に対応するリモコン信号を抽出すると共に、リモコン信号発信部４０２を制御して、当該リモコン信号を発信させる（Ｓ１１６）。
【００５９】
なお、本例では、通信網の種別に応じて、操作指示情報の実行を許可あるいは禁止するものとしたが、これに限らず、通信網の種別に応じて、入出力部１０８により、実行確認ダイアログを表示するようにしてもよい。
この場合には、許否情報記憶部１０２において、操作指示情報ごとに、広域通信網ＮＷ１か構内通信網ＮＷ２かの通信網種別に応じて、実行確認ダイアログを表示するか否かの情報が関連付けて記憶されている。そして、携帯端末１Ａから操作指示情報を受け付けた際、当該操作指示情報が、通信網の種別に応じて実行確認を要するものであった場合、実行確認ダイアログを表示し、問題ないものとして確認されたときに、当該受け付けた操作指示情報をリモコンサーバ４Ａに送信する。また、受け付けた操作指示情報が、実行確認を要するものでなかった場合には、実行確認を行なうことなく、当該操作指示情報をリモコンサーバ４Ａに送信する。
【００６０】
また、本例では、通信中継装置２Ａ又は通信中継装置２Ａによって形成されている構内通信網ＮＷ２を識別する際の例として、通信中継装置２ＡのＳＳＩＤやＭＡＣアドレスを用いた例を挙げたが、これに限らず、電波の周波数など、他のデータによって通信中継装置２Ａ又は通信中継装置２Ａによって形成されている構内通信網ＮＷ２を識別するものとしてもよい。
また、通信中継装置２Ａとリモコンサーバ４Ａは一体的に構成されていてもよい。
【実施例２】
【００６１】
第一の本実施形態では、携帯端末１Ａ側で、通信網の種別の判断、及びこれに基づく操作指示情報に係る操作の実行の許否の判断を行なったが、リモコンサーバ４Ａ側でこれらの判断を行なうものとしてもよい。
この場合の装置構成の一例を図７に示す。
この例では、上記において携帯端末１Ａが備えた許否情報記憶部１０２、通信網判別部１０６、操作許否判断部１０７の各機能部に対応する許否情報記憶部４０５、通信網判別部４０６、操作許否判断部４０７を、リモコンサーバ４Ａが備える。
【００６２】
通信網判別部４０６は、携帯端末１Ａから受信した操作指示情報が、いずれの通信網を経由したかを判別する。
この判別手法は、各種の方法によることができ、特に限定はされないが、例えば、広域通信網ＮＷ１に接続するときの外部サーバ３のＩＰアドレスを取得して、予め登録したＩＰアドレスと照合することにより、広域通信網ＮＷ１か構内通信網ＮＷ２かを判別することができる。
【００６３】
なお、許否情報記憶部４０５は許否情報記憶部１０２と同様に、携帯端末１Ａが通信を確立している通信網の種別（受信した操作指示情報が経由した通信網の種別）に応じて、ユーザ指定の操作指示情報の実行の許否に関する記憶する記憶部である。
また、操作許否判断部４０７は操作許否判断部１０７と同様に、通信網判別部４０６による判別の結果に応じて、許否情報記憶部４０５を参照し、ユーザによって入力された操作指示情報の実行の許否を判断する処理を実行する。
【００６４】
リモコンサーバ４Ａが以上の構成を備える場合に、操作指示情報に係る操作が実行されるまでの処理の流れを図８に示す。
まず、携帯端末１Ａに操作指示情報が入力されると（Ｓ１２１）、当該操作指示情報はリモコンサーバ４Ａに送信される（Ｓ１２２）。
【００６５】
これを受信したリモコンサーバ４Ａは、通信網判別部４０６により、操作指示情報がいずれの通信網を経由して送信されてきたかを判別する（Ｓ１２３）。
操作許否判断部４０７は、この判別結果に基づき、許否情報記憶部４０５を参照して、受信した操作指示情報に係る操作が、実行を許可されるものか、あるいは禁止されるものかを判断する（Ｓ１２４）。
【００６６】
この結果、実行が認められないものである場合には、携帯端末１Ａにエラーメッセージ送信するなどして、要求された操作指示情報に係る操作の実行が拒否される（Ｓ１２５）。
一方、Ｓ１２４による許否判断の結果、ユーザによって入力された操作指示情報に係る操作の実行が許可される場合には、制御部４０３が信号情報記憶部４０１を参照して操作指示情報に対応するリモコン信号を抽出すると共に、リモコン信号発信部４０２を制御して、当該リモコン信号を発信させる（Ｓ１２６）。
【００６７】
なお、以上の実施形態において、携帯端末１Ａからリモコンサーバ４Ａに操作指示情報を送信する際、経由する通信網の種別の判別は携帯端末１Ａ側で行い、当該判別結果に係る情報を、操作指示情報と共にリモコンサーバ４Ａに送信し、操作指示情報に係る操作の実行の許否のみを、リモコンサーバ４Ａ側で行うようにしてもよい。
また、この場合には、携帯端末側で通信の接続状況を判別して、接続状況に応じて異なるドメイン名でリモコンサーバ４Ａにアクセスすることで、当該ドメイン名に基づいて、リモコンサーバ４Ａ側で通信網の種別を判断するようにしてもよい。
【実施例３】
【００６８】
第一、第二の本実施形態では、通信中継装置１Ａ、２Ａによって形成された構内通信網ＮＷ１、ＮＷ２を介して、携帯端末１Ａ、１Ｂがリモコンサーバ４Ａ、４Ｂとデータの送受信を行ったが、本実施形態では、Bluetoothなどの構内通信網を介して、携帯端末とリモコンサーバがデータの送受信を行うことができる。
なお、本実施形態は、上記第二の実施形態の変形例として構成した場合を示す。
【００６９】
この場合の装置構成の一例を図９に示す。
この例では、リモコンサーバ４Ａは構内通信網ＮＷ３により、携帯端末１Ａとデータ通信可能に構成されている。ここにおける構内通信網ＮＷ３は例えば、Bluetooth、IrDA、Zigbeeなどのほか、特定小電力無線が想定されている。
【００７０】
携帯端末１Ａやリモコンサーバ４Ａが備える機能部は、第二の実施形態における機能部と同様であるが、通信網判別部４０６は、ペアリング等によって構内通信網ＮＷ３を介して携帯端末１Ａと接続しているときには、携帯端末１Ａから受信した操作指示情報は、当該構内通信網ＮＷ３を経由して受信したものと判別する。この構内通信網ＮＷ３を経由して受信した操作指示情報に係る操作の実行許否は、構内通信網ＮＷ２を経由して操作指示情報を受信した場合に準じて処理される。
【００７１】
また、この第三の実施形態の変形例として、図１０に示されるように、携帯端末１Ａとは別に、上記のBluetooth、IrDA、Zigbeeといった構内通信網ＮＷ３を介してリモコンサーバ４Ａと接続する小型無線機１０を備えたシステムを構築することもできる。
この例では、接続される通信網の別にしたがって携帯端末１Ａのユーザの所在を判別するのに小型無線機１０が用いられ、リモコンサーバ４に対する操作指示情報の送信に携帯端末１Ａが使われる。
【００７２】
この例では、小型無線機１０に、携帯端末１Ａを識別するための識別情報が送受信可能に記憶されており、リモコンサーバ４Ａには当該識別情報と携帯端末１Ａとが関連付けて記憶されている。
【００７３】
また、ユーザからの操作指示情報に基づく操作の許否判断及び操作の実行処理においては、リモコンサーバ４Ａに対する操作指示情報は携帯端末１Ａから送信され、操作許否判断部４０７によって、操作指示情報に係る操作の実行の許否が判断される。この際の操作許否判断部４０７による判断処理においては、小型無線機１０とリモコンサーバ４Ａが構内通信網ＮＷ３を介して接続している場合、操作指示情報がいずれの通信網を経由して送信されてきたかにかかわらず、構内通信網ＮＷ２、ＮＷ３を経由して操作指示情報がリモコンサーバ４に送信されたものとして、操作指示情報の実行許否が判断される。
この例において例えば、小型無線機１０をキーホルダー型等に構成すると、ユーザが常時、携帯しやすく、この小型無線機１０のみでユーザが宅内にいるか宅外にいるかを判別できて便利である。
なお、構内通信網ＮＷ３を展開する機能部を中継装置２Ａに備えさせ、中継装置２Ａが展開する構内通信網ＮＷ３を介して、小型無線機１０が中継装置２Ａと通信を行うようにしてもよい。
【００７４】
＜参考例１＞
別の例では、携帯端末１が通信を確立している通信網の種別に応じた操作画面を、携帯端末１上に展開するようにしてもよい。
この例の各端末ないしは装置の構成の一例を図１１に示す。なお、図１１では、本例の最小構成を示しており、他の例における機能が適宜、付加されていてもよい。
携帯端末１Ｂは、既述した携帯端末１Ａと同様に、いわゆる携帯電話機やＰＤＡ（Personal Digital Assistance）などによって構成され、識別情報記憶部１１１、ＵＩ記憶部１１２、通信状況記憶部１１３、識別情報検知部１１４、通信確立部１１５、通信網判別部１１６、ＵＩ抽出部１１７、入出力部１１８、通信処理部１１９からなる機能ブロックを備える。
【００７５】
なお、識別情報記憶部１１１、通信状況記憶部１１３、識別情報検知部１１４、通信確立部１１５、通信網判別部１１６、入出力部１１８、通信処理部１１９の各機能は、既述した識別情報記憶部１０１、通信状況記憶部１０３、識別情報検知部１０４、通信確立部１０５、通信網判別部１０６、入出力部１０８、通信処理部１０９の各機能と同様である。
【００７６】
また、通信中継装置２Ｂ、外部サーバ３Ｂ、及びリモコンサーバ４Ｂの構成は夫々、既述した通信中継装置２Ａ、外部サーバ３Ａ、及びリモコンサーバ４Ａの構成と同様である。
【００７７】
ＵＩ記憶部１１２は、携帯端末１Ｂが通信を確立している通信網の種別に応じたＵＩを記憶した記憶部である。
このＵＩ記憶部１１２に記憶されているＵＩ（User Interface）は例えば、通信網の種別に応じて許可される操作指示情報を指示するボタンのみから構成されており、広域通信網ＮＷ１と通信を確立している場合、広域通信網ＮＷ１用に用意されたＵＩでは、設けられている全ての操作指示情報の要求ボタンが実行可能となっている。
【００７８】
ＵＩ抽出部１１７は、通信網判別部１１６による通信網の判別の結果に応じて、通信網の種別に応じたＵＩをＵＩ記憶部１１２から抽出する。
【００７９】
本例において、携帯端末１Ｂ上に、通信網の種別に応じたＵＩが展開されるまでの処理の流れを図１２に示す。
なお、ここで説明する処理は、携帯端末１Ｂにおいて操作指示を行うためのアプリケーションの起動に応じて、携帯端末１Ｂが広域通信網ＮＷ１あるいは構内通信網ＮＷ２と通信を確立した後に行なわれる処理である。なお、携帯端末１Ｂが広域通信網ＮＷ１あるいは構内通信網ＮＷ２と通信を確立する処理は、図５を参照して説明したとおりである。
【００８０】
通信を確立した後、携帯端末１Ｂは、ＵＩの展開要求を受け付ける（Ｓ２０１）。
これに応じて通信網判別部１１６は、通信状況記憶部１１３を参照して、携帯端末１Ｂがいずれの通信網と通信を確立しているかを判別する（Ｓ２０２）。
【００８１】
この判別結果に応じて、ＵＩ抽出部１１７が、ＵＩ記憶部１１２を参照して、通信網の種別に応じたＵＩを抽出する（Ｓ２０３）。
抽出されたＵＩは、入出力部１１８により、携帯端末１Ｂ上に表示される（Ｓ２０４）。
【００８２】
ここで展開されたＵＩは、予め通信網の種別に応じて用意されたものである。そのため、ユーザは、ＵＩから一見して通信網の種別を把握して操作を行うことができる。
【００８３】
なお、本例のように通信網の種別に応じて展開されるＵＩは、ほかに例えば、通信網ごとの操作履歴に応じたものであってもよい。即ち、通信網の種別ごとに、ユーザの操作履歴を蓄積し、当該蓄積した操作履歴に基づき、よく利用される操作に対応したボタンを大きくしたり、よく利用されるボタンから順に並べたりしたＵＩを生成し、これをＵＩ記憶部１１２に登録し、これを通信網の種別に応じて展開する。
【００８４】
＜参考例２＞
また、別の例では、携帯端末１が通信を確立している通信網の種別の切り替わりを検知して、予め登録しておいた処理が実行されるようになっていてもよい。
この例の各端末ないしは装置の構成の一例を図１３に示す。なお、図１３では、本例の最小構成を示しており、他の例における機能が適宜、付加されていてもよい。
【００８５】
携帯端末１Ｃは、既述した携帯端末１Ａと同様に、いわゆる携帯電話機やＰＤＡ（Personal Digital Assistance）などによって構成され、識別情報記憶部１２１、通信状況記憶部１２２、識別情報検知部１２３、通信確立部１２４、入出力部１２５、通信処理部１２６からなる機能ブロックを備える。
なお、識別情報記憶部１２１、通信状況記憶部１２２、識別情報検知部１２３、入出力部１２５、通信処理部１２６の各機能は、既述した識別情報記憶部１０１、通信状況記憶部１０３、識別情報検知部１０４、入出力部１０８、通信処理部１０９の各機能と同様である。
【００８６】
本例において、通信確立部１２４は、各通信網との通信を確立した際、通信状況記憶部１２２を参照して、これまで通信を確立していた通信網と異なる通信網と通信を確立し、通信網の種別が切り替わったと判別したときに、通信処理部１２６を介して、その旨の情報をリモコンサーバ４Ｃに送信する。
【００８７】
リモコンサーバ４Ｃは、既述した信号情報記憶部４０１、リモコン信号発信部４０２、制御部４０３、及び通信処理部４０４に対応する信号情報記憶部４２１、リモコン信号発信部４２３、制御部４２４、及び通信処理部４２５を備えると共に、切替情報記憶部４２２を備える。
【００８８】
切替情報記憶部４２２は、携帯端末１Ｃが接続している通信網の種別が切り替わったときに自動的に実行すべき操作指示情報を記憶する記憶部である。
この切替情報記憶部４２２には例えば、図１４に示されるように、通信網の切り替え内容にしたがって、実行すべき操作指示情報が関連付けて記憶されている。
【００８９】
なお、通信中継装置２Ｃ及び外部サーバ３Ｃの構成は夫々、既述した通信中継装置１Ａ、及び外部サーバ３Ａの構成と同様である。
【００９０】
本例において、リモコンサーバ４Ｃが、携帯端末１Ｃから通信網が切り替わった旨の情報を受け付け、これに応じた操作を実行するまでの処理の流れを図１５に示す。
携帯端末１Ｃの通信確立部１２４は、各通信網との通信を確立した際、通信状況記憶部１２２を参照して、これまで通信を確立していた通信網と異なる通信網と通信を確立し、通信網の種別が切り替わったか否かを判別する（Ｓ３０１）。
【００９１】
この結果、通信の種別が切り替わったと判別されたときには、リモコンサーバ４Ｃに対し、その旨を示す切替情報を送信する（Ｓ３０２）。
なお、切替情報には、切替前後の通信網の種別に関する情報が含まれる。
【００９２】
切替情報を受信したリモコンサーバ４Ｃは、制御部４２４により、切替情報記憶部４２２を参照し、切替情報に対応した操作指示情報を特定する（Ｓ３０３）。
そして、特定した操作指示情報に基づき、信号情報記憶部４２１を参照して、対応するリモコン信号を抽出すると共に、リモコン信号発信部４２３を制御して、当該リモコン信号を発信させる（Ｓ３０４）。
【００９３】
これにより例えば、自宅外にいたユーザが自宅近辺に戻ってきた際、携帯端末１Ｃが接続している通信網が、広域通信網ＮＷ１から、自宅に設置された通信中継装置２Ｃによって形成された構内通信網ＮＷ２に切り替わったことを検知することができる。そして、この切り替わりの際の操作指示情報として、空調や照明を動作させるものとしておけば、ユーザが自宅に帰り着いたとき、既に空調や照明が動作しており、快適な環境が提供される。
【００９４】
なお、本例では、携帯端末１Ｃが備えた通信確立部１２４により、通信網の種別が切り替わりを判別するものとしたが、これに限らず、通信網の切り替わりの判別処理に関する機能部を、通信中継装置２Ｃや外部サーバ３Ｃに備えさせ、通信中継装置２又は外部サーバ３Ｃにおける携帯端末１Ｃとの接続状態に基づいて、通信網の種別の切り替わりを判別するものとしてもよい。
即ち、携帯端末１Ｃが構内通信網ＮＷ２との通信を確立あるいは切断したときに、これを通信中継装置２Ｃに検知させ、リモコンサーバ４Ｃに当該情報を送信させたり、携帯端末１Ｃが広域通信網ＮＷ１との通信を確立あるいは切断したときに、これを外部サーバ３Ｃに検知させ、リモコンサーバ４Ｃに当該情報を送信させたりする。
【００９５】
また、本例における通信網の種別の切り替わりには、構内通信網ＮＷ２又は広域通信網ＮＷ１相互の切り替わりのみならず、各通信網との通信状態からの切断、あるいは切断状態からの通信確立を含む。
【００９６】
＜参考例３＞
また、別の例では、複数人のユーザにより、一つのリモコンサーバ４を利用する場合に、各ユーザからの操作指示情報の競合を防ぐようにしてもよい。
この例の各端末ないしは装置の構成の一例を図１６に示す。なお、図１６では、本例の最小構成を示しており、他の例における機能が適宜、付加されていてもよい。
【００９７】
なお、本例における携帯端末１Ｄ、通信中継装置２Ｄ、外部サーバ４Ｄの各構成は、既述した携帯端末１Ａ、通信中継装置２Ａ、外部サーバ４Ａの各構成と同様である。
ただし、本例では、複数の携帯端末１Ｄがリモコンサーバ４Ｄにアクセスする。具体的には、家庭内で、家族一人ひとりが所有する携帯端末１Ｄにより、家庭内に設置された一台のリモコンサーバ４Ｄにアクセスする場合が想定される。
【００９８】
本例におけるリモコンサーバ４Ｄは、CPU（Central Processing Unit）などの演算装置、RAM（Random Access Memory）、ROM（Read Only Memory）などの記憶装置により、信号情報記憶部４３１、競合情報記憶部４３２、履歴情報記憶部４３３、競合判定部４３４、リモコン信号発信部４３５、制御部４３６、通信処理部４３７からなる機能ブロックを構成する。
なお、信号情報記憶部４３１、リモコン信号発信部４３５、制御部４３６、通信処理部４３７の各機能は、既述した信号情報記憶部４０１、リモコン信号発信部４０２、制御部４０３、通信処理部４０４の各機能と同様である。
【００９９】
競合情報記憶部４３２は、互いに競合するものと判別される操作指示情報を、互いに関連付けて記憶した記憶部である。
この競合情報記憶部４３２には例えば、図１７に示されるように、互いに競合するものと判別される操作指示情報と、例外処理とが関連付けて記憶されている。
【０１００】
ここで、互いに競合する操作指示情報とは、ヒーターのスイッチオンとエアコンの冷房スイッチオンや、同一時間帯におけるテレビの二番組録画など、一度に両方を実行不可能な操作指示情報のほか、同時あるいは順次行なうのが適切でないと判断される操作指示情報の組み合わせである。この互いに競合する操作指示情報は適宜、ユーザが設定可能に登録できるようになっていてもよい。
【０１０１】
また、例外処理とは、競合する操作指示情報であっても、実行を認める場合に関する情報である。
具体的には、同一の携帯端末１Ｄによる操作指示情報の場合には、競合するものとせず、既に受け付けている操作指示情報を取り消して、新たな操作指示情報に係る操作の実行を許可したり、受信した操作指示情報が経由した通信網の種別によっては操作の実行を許可したり、所定の携帯端末１Ｄからの操作指示情報については、他の携帯端末１Ｄからの操作指示情報に優先して操作の実行を許可したりする。
【０１０２】
履歴情報記憶部４３３は、操作指示情報の実行履歴に関する情報を記憶する記憶部である。
この履歴情報記憶部４３３には例えば、図１８に示されるように、操作指示情報に基づいてリモコン信号を発信し、操作対象機器５を操作した日時、操作指示情報に係る操作の実行を要求した携帯端末１Ｄを識別する端末ＩＤ、実行した操作指示情報、携帯端末１Ｄから操作指示情報を受信する際に経由した通信網の種別、を相互に関連付けて記憶することができる。
【０１０３】
競合判定部４３４は、携帯端末４Ｄから受信した操作指示情報に基づき、競合情報記憶部４３２を参照して、競合する操作指示情報を特定すると共に、履歴情報記憶部４３３を参照して、当該競合する操作指示情報が実行されている、あるいは実行されたかを判断し、当該受信した操作指示情報に係る操作の実行の許否を判断する。
この処理ではさらに、競合する操作指示情報が、例外処理に該当して、操作の実行を許可できるものか否かについても判断する。
【０１０４】
次に、本例において、リモコンサーバ４Ｄが、携帯端末１Ｄから操作指示情報を受け付けてから、競合判定を経て、これに応じた操作を実行するまでの処理の流れを図１９に示す。
なお、リモコンサーバ４Ｄは随時、携帯端末１Ｄから操作指示情報を受け付け、これに基づく操作を実行したときには、その履歴を履歴情報記憶部４３３に記憶していく。
【０１０５】
リモコンサーバ４Ｄは、携帯端末１Ｄから操作指示情報を受信すると（Ｓ４０１）、競合判定部４３４により、競合情報記憶部４３２を参照して、受信した操作指示情報に基づき、競合する操作指示情報を特定する（Ｓ４０２）。
なお、携帯端末１Ｄから操作指示情報を受信する際には、携帯端末１Ｄを識別する端末ＩＤや、いずれの通信網を経由したかを示す経由通信網に係る情報を併せて受信する。
【０１０６】
そして競合判定部４３２は、履歴情報記憶部４３３を参照して、受信した操作指示情報と競合する操作指示情報が実行されている、あるいは実行されたかを判断する（Ｓ４０３）。
この結果、競合する操作指示情報が実行されていない場合には、受信した操作指示情報に係る操作の実行を許可し、制御部４３６によってリモコン信号発信部４３５が制御され、操作指示情報に対応したリモコン信号が発信される（Ｓ４０４）。
【０１０７】
一方、Ｓ４０３による判別処理において、競合する操作指示情報が実行されている、あるいは実行されていたと判別された場合には、受信した操作指示情報に係る操作の実行が、例外処理として認められるか否かを判断する（Ｓ４０５）。
この結果、例外処理として操作の実行が許可される場合には、Ｓ４０４の処理に進み、受信した操作指示情報に対応したリモコン信号が発信される。
【０１０８】
また、Ｓ４０５による判別処理の結果、受信した操作指示情報が例外処理にも該当しない場合には、受信した操作指示情報に係る操作の実行は許可されないものと判定し、当該操作指示情報を送信してきた携帯端末１Ｄに対し、実行が認められない旨の警告メッセージを返信するなどして、処理を終了する（Ｓ４０６）。
【０１０９】
なお、Ｓ４０６の処理では、Ｓ４０５による判別処理の結果、受信した操作指示情報が例外処理にも該当しない場合には、実行が認められない旨の警告メッセージを返信するもとしたが、これに限らず、操作指示情報を送信してきた携帯端末１Ｄに対し、一連の判断を無視して操作指示情報に基づく操作を強制的に実行するか否かの確認メッセージを送信し、実行要求を受信した際には、操作指示情報に対応したリモコン信号を発信させるようにしてもよい。
【０１１０】
＜参考例４＞
別の例では、携帯端末１上において操作指示情報を入力するためのＵＩを、ユーザにより作成・編集可能とすると共に、具体的なリモコン信号の制御コード等を関連付けてパッケージ化させることができるようにしてもよい。
【０１１１】
図２０に、ＵＩを作成・編集する場合の作成・編集画面の一例を示す。なお、ＵＩの作成・編集は、携帯端末１や、他のパーソナルコンピュータ等で行うことができる。
ＵＩ作成・編集画面では、操作指示情報に係る操作の実行を要求するボタンを実際に配置した場合のレイアウト１０１、設定可能に用意されたボタン群１０２、ボタンのレイアウトを変更等するための編集設定１０３、作成・編集したＵＩを所定の記憶部に記憶するための登録ボタン１０４が設けられている。
このＵＩ作成・編集画面は一例であり、各ボタンをユーザが自由に作成できるようにしたりしてもよく、各種の設計変更が可能である。
【０１１２】
このように作成されたＵＩについて、各ボタンにリモコン信号の制御コード等を関連付ける場合の各端末ないしは装置の構成の一例を図２１に示す。なお、図２１では、本例の最小構成を示しており、他の例における機能が適宜、付加されていてもよい。
なお、本例における携帯端末１Ｅとリモコンサーバ４Ｅは、広域通信網ＮＷ１や構内通信網ＮＷ２を介してデータの送受信が可能に構成されているが、広域通信網ＮＷ１や構内通信網ＮＷ２との通信を確立するための構成については、ここでは省略する。
【０１１３】
携帯端末１Ｅは、既述した携帯端末１Ａと同様に、いわゆる携帯電話機やＰＤＡ（Personal Digital Assistance）などによって構成され、ＵＩ記憶部１４１、入出力部１４２、通信処理部１４３からなる機能ブロックを備える。
なお、入出力部１４２、通信処理部１４３の各機能は、既述した入出力部１０８、通信処理部１０９の各機能と同様である。
【０１１４】
ＵＩ記憶部１４１には、図２０で説明したとおりに作成されたＵＩを記憶することができる。本例では、このＵＩ記憶部１４１に記憶されたＵＩを読み込んで表示させ、各ボタンに、所定のリモコン信号の制御コード等を関連付ける。
【０１１５】
リモコンサーバ４Ｆは、CPU（Central Processing Unit）などの演算装置、RAM（Random Access Memory）、ROM（Read Only Memory）などの記憶装置により、信号情報記憶部４４１、リモコン信号受信部４４２、制御部４４３、通信処理部４４４からなる機能ブロックを備える。
なお、制御部４４３、通信処理部４４４の各機能は夫々、既述した携帯端末１Ａ制御部４０３、通信処理部４０４の各機能と同様である。
【０１１６】
信号情報記憶部４４１は、操作指示情報とリモコン信号とを関連付けて登録することのできる記憶部である。
【０１１７】
リモコン信号受信部４４２は、操作対象機器５用のリモコンからリモコン信号を受信し、その発光パターンデータを取得する。取得された発光パターンデータは、操作指示情報と関連付けて信号情報記憶部に登録される。
【０１１８】
以上の構成により、ＵＩ記憶部１４１に記憶したＵＩの各ボタンに、リモコン信号の制御情報を割り当てる際には、携帯端末１Ｅ上に展開したＵＩにおいて、所定の操作指示情報を示すボタンを押下する。
これに対してリモコンサーバ４Ｅでは、リモコン信号受信部４４２により、上記押下されたボタンに割り当てるリモコン信号を、操作対象機器５用のリモコンの所定のボタンを押下して取得する。
これにより、取得されたリモコン信号は、上記操作指示情報と関連付けられて、信号情報記憶部４４１に登録される。
【０１１９】
全てのボタンについて上記処理を行なうことで、ＵＩ中に表示されたボタンの押下によって要求される操作指示情報と、リモコン信号が関連付けられる。
こうして作成されたデータは例えば、ＵＩ記憶部１４１と信号情報記憶部４４１から抽出してアプリケーション化させてもよい。
また、アプリケーション化させたデータは例えば、所定のＷｅｂサーバにアップロードし、他のユーザと共有できるようにしてもよい。
【０１２０】
なお、本例において、ＵＩ中の操作を指示するボタンには、複数の操作指示情報をまとめて実行できるように、一連の操作指示情報をマクロ操作により一括して実行可能に構成してもよい。
この場合、一つのボタンに対応した一連の操作指示情報を、リモコンサーバ４Ｅの信号情報記憶部４４１中に関連付けて登録しておく。
これにより例えば、テレビで映画を見る際に、照明のスイッチ、ＤＶＤ機器のスイッチやテレビのスイッチといった複数の操作対象機器５が一度に操作され、ユーザが作り出したい環境を一度に作り出すことができる。
【０１２１】
＜参考例５＞
別の例では、携帯端末１からの操作指示情報を蓄積し、この操作指示情報に基づいて、ユーザに各種のコンテンツ等のレコメンドを行なうことができるようにしてもよい。本例では具体的には、ユーザのテレビの視聴履歴に基づいて、各種のコメントをレコメンドすることを想定しており、かかる場合を想定した例を説明する。
この場合の端末及び装置の構成例を図２２に示す。なお、図２２では、本例の最小構成を示しており、他の例における機能が適宜、付加されていてもよい。
ここで、携帯端末１Ｆ、リモコンサーバ４Ｆ、レコメンド装置６Ｆは、広域通信網ＮＷ１や構内通信網ＮＷ２を介して通信可能に構成されている。
【０１２２】
携帯端末１Ｆは、既述した携帯端末１Ａと同様に、いわゆる携帯電話機やＰＤＡ（Personal Digital Assistance）などによって構成され、入出力部１５１、通信処理部１５２からなる機能ブロックを備える。なお、この入出力部１５１、通信処理部１５２の各機能は、既述した携帯端末１Ａの入出力部１１８、通信処理部１１９の機能と同様である。
【０１２３】
リモコンサーバ４Ｆは、CPU（Central Processing Unit）などの演算装置、RAM（Random Access Memory）、ROM（Read Only Memory）などの記憶装置により、信号情報記憶部４５１、履歴情報記憶部４５２、リモコン信号発信部４５３、制御部４５４、及び通信処理部４５５の各機能を備える。
【０１２４】
信号情報記憶部４５１は、既述した信号情報記憶部４０１と同様に、ユーザからの操作指示情報に応じたリモコン信号を記憶する記憶部である。
履歴情報記憶部４５２は、既述した履歴情報記憶部４３３と同様に、操作指示情報の実行履歴に関する情報を記憶する記憶部である。なお、本例では、操作指示情報と共に、操作に基づいて放映又は視聴されたテレビ番組についても登録され、例えば図２３に示されるように、操作指示情報の実行日時と、操作指示情報を送信した携帯端末１Ｆを識別する端末ＩＤと、操作指示情報に基づく操作によって放映又は視聴された番組とが関連付けて記憶されている。放映又は視聴されたテレビ番組の情報は例えば、操作指示情報の実行日時や、指定されたチャンネル情報等に基づいて、外部のＷｅｂサーバ等から取得することができる。
また、リモコン信号発信部４５３、制御部４５４、及び通信処理部４５５についても、既述したリモコン信号発信部４０２、制御部４０３、通信処理部４０４と同様の機能部である。
【０１２５】
レコメンド装置６Ｆは、CPU（Central Processing Unit）などの演算装置、RAM（Random Access Memory）、ROM（Read Only Memory）などの記憶装置により、レコメンド情報記憶部６５１、属性判定部６５２、レコメンド情報抽出部６５３、通信処理部６５４からなる機能ブロックを備える。
【０１２６】
レコメンド情報記憶部６５１は、ユーザに対してレコメンドするコンテンツ等に関する情報を記憶した記憶部である。
このレコメンド情報記憶部６５１には、図２４に示されるように、レコメンド対象のユーザの属性と、レコメンドする番組に関する情報と、当該番組を視聴する際に、操作対象機器５に発信すべきリモコン信号とが相互に関連付けて記憶されている。
【０１２７】
なお、ここで記憶されるリモコン信号は、テレビを予め関連付けられた番組のチャンネルに切り替えるための信号であるが、テレビの電源を入れるリモコン信号が含まれていてもよい。
また、各ユーザのテレビがどのメーカーのもので、どのようなリモコン信号によって動作するか不明な場合もあることから、当該リモコン信号に、各メーカーにおいて所定のチャンネルに切り替えるために発信されるリモコン信号を全て含めておいてもよい。ユーザが利用するテレビとは異なるメーカーのテレビに対応したリモコン信号は無視され、有効なリモコン信号だけが有効に受け付けられるため、これにより、各メーカーの違いを気にする必要がない。
【０１２８】
属性判定部６５２は、履歴情報記憶部４５２に記憶されている履歴情報に基づいて、各携帯端末１Ｆを利用するユーザの属性を判定する。
この処理は、携帯端末１Ｆを識別する端末ＩＤごとに履歴情報をまとめ、当該履歴情報に含まれる番組情報を、予め定められた分類に従って属性に分け、その偏りから属性を判定する。
【０１２９】
レコメンド情報抽出部６５３は、属性判定部６５２によって判定された属性に基づき、レコメンド情報記憶部６５１を参照して、レコメンド情報を抽出する。
【０１３０】
通信処理部６５４は、広域通信網ＮＷ１を介して、携帯端末１Ｆやリモコンサーバ４Ｆと、所定のプロトコルに従ってデータを送受信するための処理部である。
【０１３１】
なお、通信中継装置２Ｆ及び外部サーバ３Ｆは、構内通信網ＮＷ２あるいは広域通信網ＮＷ１を形成し、データの送受信を担うための機能を有している。
【０１３２】
本例において、レコメンドデータがユーザに提供されるまでの処理を図２５に示す。
レコメンド対象の携帯端末４Ｆの端末ＩＤと履歴情報は、所定のタイミングで、リモコンサーバ４Ｆからレコメンド装置６Ｆに対して送信される（Ｓ５０１）。
【０１３３】
これに応じて、属性判定部６５２は、端末ＩＤに基づいて履歴情報中の視聴番組情報を抽出した上、当該視聴番組情報を予め定められた分類に従って分類し、その偏りから属性を判定する（Ｓ５０２）。
そしてレコメンド情報抽出部６５３は、判定された属性に基づいて、レコメンド情報記憶部６５１からレコメンドデータを抽出する（Ｓ５０３）。
抽出されたレコメンドデータは、携帯端末１Ｆに対して送信される（Ｓ５０４）。
【０１３４】
これを受信した携帯端末１Ｆのユーザは、リモコンサーバ４Ｆに対し、当該レコメンドデータと共に、レコメンドデータに基づくリモコン信号による操作の実行要求を送信する（Ｓ５０５）。
これを受信したリモコンサーバ４Ｆは、制御部４５４がリモコン発信部４５３を制御して、レコメンドデータに含まれるリモコン信号を発信させる（Ｓ５０６）。
これによりユーザは、ユーザに好みに合った番組を気軽に視聴することができる。
【０１３５】
なお、本例においては、レコメンドデータは、一度携帯端末１Ｆに送信されるものとしたが、これに限らず、レコメンド装置６Ｆから直接リモコンサーバ４Ｆに送信し、レコメンドデータに含まれたリモコン信号の発信を行なうようにしてもよい。
【０１３６】
なお、以上の各例においては、携帯端末１Ａ、１Ｂ、１Ｃ、１Ｃ、１Ｄ、１Ｅ、１Ｆが備えた機能部の一部を、リモコンサーバ４Ａ、４Ｂ、４Ｃ、４Ｄ、４Ｅ、４Ｆが備えるものとしてもよいし、逆にリモコンサーバ４Ａ、４Ｂ、４Ｃ、４Ｄ、４Ｅ、４Ｆが備えた機能部の一部を、携帯端末１Ａ、１Ｂ、１Ｃ、１Ｃ、１Ｄ、１Ｅ、１Ｆが備えるものとしてもよく、適宜の設計変更が可能である。
例えば、リモコンサーバ４Ａ、４Ｂ、４Ｃ、４Ｄ、４Ｅ、４Ｆが備えていた信号情報記憶部４０１、４１１、４２１、４３１、４４１、４５１を、携帯端末１Ａ、１Ｂ、１Ｃ、１Ｃ、１Ｄ、１Ｅ、１Ｆに備えさせ、ユーザから操作指示情報を受け付けた後、信号情報記憶部４０１、４１１、４２１、４３１、４４１、４５１を参照して操作指示情報をリモコン信号に変換し、当該リモコン信号を、リモコンサーバ４Ａ、４Ｂ、４Ｃ、４Ｄ、４Ｅ、４Ｆに送信するようにしてもよい。
【０１３７】
また、以上の各例において示した構成は適宜、他の例の構成中に付加して、各例の構成を組み合わせた端末やサーバを構築することが可能である。
【０１３８】
また、携帯端末１Ａ、１Ｂ、１Ｃ、１Ｃ、１Ｄ、１Ｅ、１Ｆが備えた機能の一部、又はリモコンサーバ４Ａ、４Ｂ、４Ｃ、４Ｄ、４Ｅ、４Ｆが備えた機能部の一部を、外部サーバ３Ａ、３Ｂ、３Ｃ、３Ｄ、３Ｆにも備えさせ、外部サーバ３Ａ、３Ｂ、３Ｃ、３Ｄ、３Ｆに一部の機能の実行を負担させるものとしてもよい。
例えば、携帯端末１Ａが備えた許否情報記憶部１０２、４０５や操作許否判断部１０７、４０７を外部サーバ３Ａに備えさせ、携帯端末１Ａが広域通信網ＮＷ１を介してリモコンサーバ４Ｂと通信する際、操作許否の判断を外部サーバ３Ａに実行させてもよい。
また、リモコンサーバ４Ｄが備えた競合情報記憶部４３２、履歴情報記憶部４３３や競合判定部４３４を外部サーバ３Ｄに備えさせ、携帯端末１Ｄが広域通信網ＮＷ１を介してリモコンサーバ４Ｄと通信する際、競合判定を外部サーバ３Ｄに実行させてもよい。
また、リモコンサーバ４Ｆが備えた履歴情報記憶部４５２を外部サーバ３Ｆに備えさせ、履歴情報を外部サーバ３Ｆから抽出できるようにしてもよい。
【０１３９】
なお、以上の実施形態において、リモコンサーバ４Ａ、４Ｂ、４Ｃ、４Ｄ、４Ｅ、４Ｆは、複数設置してもよい。例えば、ユーザの家の部屋ごとにリモコンサーバ４Ａ、４Ｂ、４Ｃ、４Ｄ、４Ｅ、４Ｆを設置し、部屋ごとの操作対象機器５を操作する。
この場合には、操作指示情報に、リモコンサーバ４Ａ、４Ｂ、４Ｃ、４Ｄ、４Ｅ、４Ｆの識別情報（ＩＰアドレスやシリアル番号、ＭＡＣアドレスなど）を含め、特定のリモコンサーバ４Ａ、４Ｂ、４Ｃ、４Ｄ、４Ｅ、４Ｆに対して操作を指示できるようにするとよい。なお、操作指示情報を送信するリモコンサーバ４Ａ、４Ｂ、４Ｃ、４Ｄ、４Ｅ、４Ｆは、一つの操作指示情報に対して一つのリモコンサーバ４Ａ、４Ｂ、４Ｃ、４Ｄ、４Ｅ、４Ｆである必要はなく、一度に複数の識別情報を指定することによって、複数のリモコンサーバ４Ａ、４Ｂ、４Ｃ、４Ｄ、４Ｅ、４Ｆに同時の処理を要求できるようにしてもよい。
これにより、部屋ごとに異なる操作を行ったり、各部屋をまとめて操作したりすることができる。また、親機によって子機を管理するという方式と異なり、ハードウェアを単純化できるために開発コストを抑えられるし、いずれかのリモコンサーバ４Ａ、４Ｂ、４Ｃ、４Ｄ、４Ｅ、４Ｆが故障した場合でも、故障した範囲以外の機器は有効である。また、親機のハードウェア仕様によらず、クライアントソフトウェアのバージョンアップによって、システム全体の機能を柔軟に向上させることができる。
【０１４０】
＜参考例６＞
別の例では、ユーザが利用する公共交通機関、とりわけ鉄道のシステムと連動してユーザの動向を把握し、当該把握される動向に応じてユーザの宅内等に設置された操作対象機器５を自動的に起動あるいは停止等させる。より具体的な想定場面では、鉄道の改札に設置された、鉄道利用者の入退場を管理する装置と連携して、ユーザがどの駅の改札に入場したか、あるいはどの駅の改札から退場したかに関する情報を収集する。そして例えば、ユーザが自宅の最寄駅の改札を退場したときには、ユーザがこれから帰宅するものとして、宅内の照明等の操作対象機器５の電源を入れる。また、ユーザが自宅の最寄駅の改札に入場したときには、ユーザがこれから自宅外のどこかへ向かうものとして、宅内の照明等の操作対象機器５の電源を切る。このようにユーザの動向に応じて、ユーザの宅内の操作対象機器５を自動的に操作し、ユーザの生活上の利便性を向上させる。
【０１４１】
このような処理を実現するための端末及び装置の構成例を図２６に示す。なお、図２６では、本例の最小構成を示しており、他の例における機能が適宜、付加されていてもよい。
携帯端末１Ｇとリモコンサーバ４Ｇは、広域通信網ＮＷ１を介して通信可能に構成されている。また、携帯端末１Ｇと改札装置７は、電磁波を用いた非接触通信によりデータの送受を行う。
なお、外部サーバ３Ｇの構成は外部サーバ３Ａと同様である。
【０１４２】
携帯端末１Ｇは、既述した携帯端末１Ａと同様に、いわゆる携帯電話機やＰＤＡ（Personal Digital Assistance）などによって構成され、ユーザ情報記憶部１６１、情報処理部１６２、及び通信処理部１６３からなる機能ブロックを備える。
なお、通信処理部１６３は、既述した携帯端末１Ａの通信処理部１０９と同様の機能部である。
【０１４３】
ユーザ情報記憶部１６１は、ユーザが鉄道を利用するために必要な情報を記憶する記憶部であって、公共交通機関を運営する運営者が、改札装置７を介してユーザを識別あるいは認証するための情報や、ユーザの利用に関する情報などが記憶される。このユーザ情報記憶部１６１はＩＣチップなどによって実現される。
【０１４４】
情報処理部１６２は、改札装置７と非接触通信によるデータの送受を行うための処理部であって、ユーザ情報記憶部１６１に記憶されている情報を読み込んで改札装置７に送信したり、改札装置７から受信した、利用に関する情報をユーザ情報記憶部１６１に書き込んだりする。
【０１４５】
リモコンサーバ４Ｇは、CPU（Central Processing Unit）などの演算装置、RAM（Random Access Memory）、ROM（Read Only Memory）などの記憶装置により、信号情報記憶部４６１、条件情報記憶部４６２、リモコン信号発信部４６３、制御部４６４、及び通信処理部４６５の各機能を備える。
なお、信号情報記憶部４６１、リモコン信号発信部４６３、制御部４６４、及び通信処理部４６５については夫々、既述した信号情報記憶部４０１、リモコン信号発信部４０２、制御部４０３、通信処理部４０４と同様の機能部である。
【０１４６】
条件情報記憶部４６２は、ユーザの動向に応じて実行が要求される操作指示情報を記憶した記憶部であり、ユーザの動向は、ユーザの改札装置７の利用に基づいて判断される。
この条件情報記憶部４６２には例えば、図２７に示されるように、条件情報と操作指示情報とが関連付けて記憶されている。
条件情報とは、所定の操作指示情報に基づく操作対象機器５の操作を実行するための条件に関する情報である。条件情報には、ユーザが利用する改札を識別する改札識別情報、改札を入場したかあるいは退場したかを区別する入退場に関する情報が含まれている。これにより、ユーザが所定の改札に入場あるいは退場した際に実行されるべき操作の操作指示情報が把握される。
【０１４７】
改札装置７は、公共交通機関の運営者によって設置された装置であって、ユーザによる公共交通機関の利用を管理する装置である。この装置は、所定の読取部で携帯端末１Ｇと非接触通信を行ってユーザの情報を取得してユーザの認証処理を行ったり、ユーザの利用に関する情報を非接触通信により携帯端末１Ｇに対して送信したりする。
なお、公共交通機関は、本例では鉄道を想定した場合を説明しているが、停留所が設けられた所定の区間を走行するバスなどであってもよい。
【０１４８】
本例において、ユーザによる公共交通機関の利用に基づいて、操作対象機器５が操作される処理の流れを図２８に示す。
ユーザが公共交通機関を利用し、改札装置７にアクセスした際、携帯端末１Ｇは改札装置７から改札情報として、改札を識別する改札識別情報と、改札の入退場に関する情報を取得する（Ｓ６０１）。
取得された改札情報は、通信処理部１６３により、広域通信網ＮＷ１を介してリモコンサーバ４Ｇに送信される（Ｓ６０２）。
【０１４９】
これに応じてリモコンサーバ４Ｇは、制御部４６４により、条件情報記憶部４６２を参照して、改札情報と一致する条件情報を特定した上、当該特定した条件情報に合致した操作指示情報を抽出する（Ｓ６０３）。さらに制御部４６４は、信号情報記憶部４６１を参照して、抽出された操作指示情報に対応するリモコン信号を抽出すると共に、リモコン信号発信部４６３を制御して、当該リモコン信号を発信させる（Ｓ６０４）。
【０１５０】
本例によれば、ユーザが、自宅の最寄駅や勤務先の最寄駅の改札を入退場するのに応じて、自宅内の操作対象機器５が自動的に操作されるので、電気の消し忘れを防いだり、帰宅に応じて予め宅内の空調を快適にしておくことができる。
【０１５１】
なお、本例では、条件情報記憶部４６２はリモコンサーバ４Ｇが備えるものとしたが、携帯端末１Ｇや、外部のＷｅｂサーバ等に備えさせるものとしてもよい。この場合、携帯端末１Ｇ側で、改札情報に基づく操作指示情報を抽出した上、携帯端末１Ｇからリモコンサーバ４Ｇに対し、当該操作指示情報に対応したリモコン信号の発信要求を送信させるとよい。
また、本例では、公共交通機関に設置された装置の場合を例示したが、これに限らず、各種の店舗や施設、会社などに設置された機器から、ユーザの動向に関する情報が提供されるようになっていてもよい。
また、改札情報は携帯端末１Ｇがもっていてもよく、その場合、改札装置７にアクセスした際、携帯端末１Ｇ側で当該改札装置７を識別させ、改札への入退場を判別させる。
【０１５２】
＜参考例７＞
本例では、上述した公共交通機関の利用に応じた操作対象機器５の操作において、ユーザが携帯電話端末等ではなく、ＩＣカードを利用する場合の例である。
本例を実現する装置や端末の構成では、図２９に示されるように、改札装置７とリモコンサーバ４Ｈが広域通信網ＮＷ１を介して通信可能に構成されている。
上述の例では、ユーザが利用する携帯端末１Ｇからリモコンサーバ４Ｇに対して改札情報が提供されたが、本例では、改札装置７からリモコンサーバ４Ｈに対して改札情報が提供される。
なお、外部サーバ３Ｈの構成は外部サーバ３Ａと同様である。
【０１５３】
ＩＣカード８は、ＩＣチップを搭載し、非接触通信可能な媒体であって、上述したユーザ情報記憶部１６１及び情報処理部１６２に対応したユーザ情報記憶部８０１及び送受信処理部８０２を備えている。
【０１５４】
なお、リモコンサーバ４Ｈは、信号情報記憶部４７１、条件情報記憶部４７２、リモコン信号発信部４７３、制御部４７４、及び通信処理部４７５の各機能部を備え、夫々、上述したリモコンサーバ４Ｇの信号情報記憶部４６１、条件情報記憶部４６２、リモコン信号発信部４６３、制御部４６４、及び通信処理部４６５と同様の機能部である。
【０１５５】
本例における一連の処理では、ユーザがＩＣカード８によって改札装置７にアクセスした際、改札装置７からリモコンサーバ４Ｈに対してユーザの改札情報が送信される。なお、ＩＣカード８、あるいは改札装置７にはリモコンサーバ４Ｈのネットワーク上のアドレス情報が登録されており、これにより、改札装置７はリモコンサーバ４Ｈにデータを送信することができる。
改札装置７から改札情報を取得したリモコンサーバ４Ｈは、上述したのと同様、操作指示情報の特定、操作指示情報に対応したリモコン信号の抽出、及びリモコン信号の発信を行い、操作対象機器５を操作する。
【０１５６】
本例によれば、現在、公共交通機関の利用に多く流通しているＩＣカード８によっても、操作対象機器５の操作が可能となる。
【０１５７】
＜参考例８＞
別の例では、ユーザの現在位置を把握し、当該把握される現在位置に応じてユーザの宅内等に設置された操作対象機器５を自動的に起動あるいは停止等の操作をさせる。より具体的には、操作対象機器５が設置された自宅等とユーザとの距離が所定の範囲外から範囲内になったとき、あるいは所定の範囲内から範囲外になった時に、夫々、ユーザが自宅に帰宅、あるいは通勤などで自宅外のどこかへ向かうものとして、宅内の照明等の操作対象機器５の電源を入れたり、切ったりする。このように本例では、より詳細なユーザの現在位置に応じて、ユーザの宅内等の操作対象機器５を自動的に操作することで、ユーザの生活上の利便性を向上させる。
【０１５８】
このような処理を実現するための端末及び装置の構成例を図３０に示す。なお、図３０では、本例の最小構成を示しており、他の例における機能が適宜、付加されていてもよい。
携帯端末１Ｉとリモコンサーバ４Ｉは、広域通信網ＮＷ１を介して通信可能に構成されている。
なお、外部サーバ３Ｉの構成は外部サーバ３Ａと同様である。
【０１５９】
携帯端末１Ｉは、既述した携帯端末１Ａと同様に、いわゆる携帯電話機やＰＤＡ（Personal Digital Assistance）などによって構成され、位置情報取得部１８１、判断処理部１８２、及び通信処理部１８３からなる機能ブロックを備える。
なお、通信処理部１８３は、既述した携帯端末１Ａの通信処理部１０９と同様の機能部である。
【０１６０】
位置情報取得部１８１は、携帯端末１Ｉの現在位置を取得する機能部であって、例えばＧＰＳ（Global Positioning System）によって実現される。
【０１６１】
判断処理部４８２は、予め登録された、リモコンサーバ４Ｉやユーザの自宅等の位置と、位置情報取得部１８１によって取得された現在位置との離間距離を算出した上、当該離間距離が、基準となる距離よりも近くなかったか、あるいは離れたかを判断する。ここでいう基準となる距離とは、これよりも離間距離が小さいときには、ユーザがリモコンサーバ４Ｉ等の位置に近づいたとみなされると共に、これよりも離間距離が大きいときには、ユーザがリモコンサーバ４Ｉ等から離れたとみなされる距離である。この基準となる距離を境に、リモコンサーバ４Ｉによって実行されるべき操作指示情報が異なっており、リモコンサーバ４Ｉ等の位置から離れていたユーザが近づいた、あるいはリモコンサーバ４Ｉ等の位置に近づいていたユーザが離れたときに、当該離間距離に係る情報がリモコンサーバ４Ｉに対して送信される。
【０１６２】
リモコンサーバ４Ｉは、CPU（Central Processing Unit）などの演算装置、RAM（Random Access Memory）、ROM（Read Only Memory）などの記憶装置により、信号情報記憶部４８１、条件情報記憶部４８２、リモコン信号発信部４８３、制御部４８４、及び通信処理部４８５の各機能部を備える。
なお、信号情報記憶部４８１、リモコン信号発信部４８３、制御部４８４、及び通信処理部４８５については夫々、既述した信号情報記憶部４０１、リモコン信号発信部４０２、制御部４０３、通信処理部４０４と同様の機能部である。
【０１６３】
条件情報記憶部４８２は、ユーザ、より実際的には携帯端末１Ｉの現在位置に応じて実行が要求される操作指示情報を記憶した記憶部である。
この条件情報記憶部４８２には例えば、図３１に示されるように、条件情報と操作指示情報とが関連付けて記憶されている。
条件情報とは、所定の操作指示情報に基づく操作対象機器５の操作を実行するための条件に関する情報である。条件情報には、リモコンサーバ４Ｉが設置されている自宅等と、携帯端末１Ｉの現在位置との離間距離に関する情報が含まれている。この離間距離には、リモコンサーバ４Ｉが設置されている自宅等に近接したとみなされる距離と、逆にリモコンサーバ４Ｉが設置されている自宅等から離されたとみなされる距離が含まれており、当該距離ごとに、実行されるべき操作の操作指示情報が把握される。
【０１６４】
本例において、ユーザの現在位置に基づいて、操作対象機器５が操作される処理の流れを図３２に示す。
携帯端末１Ｉでは、位置情報取得部１８１によって随時、携帯端末１Ｉの現在位置情報が取得される（Ｓ７０１）。
【０１６５】
判断処理部１８２は、取得された現在位置情報と、予め登録されたリモコンサーバ４Ｉやユーザの自宅等の位置との離間距離を算出する。さらに、当該算出した離間距離に基づき、携帯端末１Ｉが自宅等に近づいたのか、若しくは離れたのかを判断する（Ｓ７０２）。
この処理では例えば、予め登録されたユーザの自宅等から１ｋｍの地点を基準として、１ｋｍ以上はユーザの自宅等から離れているものとし、１ｋｍ未満はユーザの自宅等に近いものとする。そして、随時取得された現在位置情報と自宅等の距離が、１ｋｍ以上から１ｋｍ未満になったとき、あるいは１ｋｍ未満から１ｋｍ以上になったときに夫々、ユーザが自宅等に近づいた、あるいはユーザが自宅等から離れたと判断する。
【０１６６】
判断処理部１８２により、ユーザが自宅等に近づいた、あるいは離れたと判断されると、通信処理部１８３により、広域通信網ＮＷ１を介してその旨の情報がリモコンサーバ４Ｉに送信される（Ｓ７０３）。
【０１６７】
これに応じてリモコンサーバ４Ｉは、制御部４８４により、条件情報記憶部４８２を参照して、ユーザが自宅等に近づいた、又はユーザが自宅等から離れた場合に実行されるべき操作指示情報を抽出する（Ｓ７０４）。さらに制御部４８４は、信号情報記憶部４８１を参照して、抽出された操作指示情報に対応するリモコン信号を抽出すると共に、リモコン信号発信部４８３を制御して、当該リモコン信号を発信させる（Ｓ７０５）。
【０１６８】
本例によれば、ユーザの現在位置に基づき、ユーザが自宅等に近づいたり、離れたりした場合に最適な操作を実行することができる。
なお、本例では、携帯端末１Ｉが判断処理部１８２を備えるものとしたが、これに限らず、リモコンサーバ４Ｉに判断処理部１８２と同様の機能部を備えさせてもよい。この場合には、位置情報取得部１８１によって取得した位置情報を随時、リモコンサーバ４Ｉに送信し、位置情報の取得の都度、リモコンサーバ４Ｉ側で判断処理部１８２と同様の処理を実行させればよい。
【０１６９】
＜参考例９＞
別の例では、複数ユーザによる利用を想定し、各ユーザの動向に応じて、ユーザの宅内等に設置された操作対象機器５を自動的に操作する。例えば、一のユーザが自宅から離れても、他のユーザが在宅している限り、照明等の電源を切ったりせず、すべてのユーザが自宅から離れた時に、照明等の電源を切ったりするようにする。
【０１７０】
このような処理を実現するための端末及び装置の構成例を図３３に示す。なお、図３３では、本例の最小構成を示しており、他の例における機能が適宜、付加されていてもよい。
携帯端末１Ｊとリモコンサーバ４Ｊは、広域通信網ＮＷ１を介して通信可能に構成されている。
なお、外部サーバ３Ｊの構成は外部サーバ３Ａと同様である。
【０１７１】
携帯端末１Ｊは、既述した携帯端末１Ａと同様に、いわゆる携帯電話機やＰＤＡ（Personal Digital Assistance）などによって構成され、位置情報取得部１９１、判断処理部１９２、及び通信処理部１９３からなる機能ブロックを備える。
なお、位置情報取得部１９１、判断処理部１９２、及び通信処理部１９３は、既述した携帯端末１Ｉの位置情報取得部１８１、判断処理部１８２、及び通信処理部１８３と同様の機能部である。
【０１７２】
リモコンサーバ４Ｊは、CPU（Central Processing Unit）などの演算装置、RAM（Random Access Memory）、ROM（Read Only Memory）などの記憶装置により、ユーザ情報記憶部４９１、信号情報記憶部４９２、条件情報記憶部４９３、ユーザ状況記憶部４９４、リモコン信号発信部４９５、制御部４９６、及び通信処理部４９７の各機能部を備える。
なお、信号情報記憶部４９２、リモコン信号発信部４９５、制御部４９６、及び通信処理部４９７については夫々、既述した信号情報記憶部４０１、リモコン信号発信部４０２、制御部４０３、及び通信処理部４０４と同様の機能部である。
【０１７３】
ユーザ情報記憶部４９１は、ユーザに関する情報を記憶することができる記憶部である。
このユーザ情報記憶部４９１には例えば、ユーザを識別したり、ユーザを認証したりする情報が記憶される。
【０１７４】
条件情報記憶部４９３は、各ユーザ、より実際的には各ユーザの携帯端末１Ｊの現在位置に応じて実行が要求される操作指示情報を記憶した記憶部である。
この条件情報記憶部４９３には例えば、図３４に示されるように、条件情報と操作指示情報とが関連付けて記憶されている。
条件情報とは、所定の操作指示情報に基づく操作対象機器５の操作を実行するための条件に関する情報である。条件情報には、所定の操作指示情報に基づく操作をするための条件として、いずれのユーザが、リモコンサーバ４Ｉが設置されている自宅等に接近、あるいは離れたかを示す情報が含まれている。
例えば、図３４中の条件２では、ユーザＡが自宅等から１ｋｍの圏内にいること、ユーザＢが自宅等から１ｋｍの圏外にいること、ユーザＣが自宅等から１ｋｍの圏内にいるという条件に対して、所定の操作指示情報が関連付けられている。なお、この条件は、具体的な距離のほか、構内通信網ＮＷ２の通信圏内に入ったか、あるいは通信圏外になったかを示すものであってもよい。
【０１７５】
ユーザ状況記憶部４９４は、各ユーザの現在の位置に関する情報を記憶することができる記憶部である。
このユーザ状況記憶部４９４には例えば、図３５に示されるように、ユーザごとに、自宅等に近いところにいるか、それとも離れたところにいるかに関する情報が関連付けて記憶できるようになっている。
【０１７６】
本例において、ユーザの現在位置に基づいて、操作対象機器５が操作される処理の流れを図３６に示す。
携帯端末１Ｊでは、位置情報取得部１９１によって随時、携帯端末１Ｊの現在位置情報が取得される（Ｓ８０１）。
【０１７７】
判断処理部１９２は、取得された現在位置情報と、予め登録されたリモコンサーバ４Ｊやユーザの自宅等の位置との離間距離を算出する。さらに、当該算出した離間距離に基づき、携帯端末１Ｊが自宅等に近づいたのか、若しくは離れたのかを判断する（Ｓ８０２）。
この処理では例えば、予め登録されたユーザの自宅等から１ｋｍの地点を基準として、１ｋｍ以上はユーザの自宅等から離れているものとし、１ｋｍ未満はユーザの自宅等に近いものとする。そして、随時取得された現在位置情報と自宅等の距離が、１ｋｍ以上から１ｋｍ未満になったとき、あるいは１ｋｍ未満から１ｋｍ以上になったときに夫々、ユーザが自宅等に近づいた、あるいはユーザが自宅等から離れたと判断する。
【０１７８】
判断処理部１９２により、ユーザが自宅等に近づいた、あるいは離れたと判断されると、通信処理部１９３により、広域通信網ＮＷ１を介してその旨の情報、ユーザを識別する情報がリモコンサーバ４Ｊに送信される（Ｓ８０３）。
【０１７９】
これに応じてリモコンサーバ４Ｊはまず、ユーザ情報記憶部４９１を参照してユーザを特定した上、ユーザ状況記憶部４９４にユーザの位置に関する情報を更新登録する（Ｓ８０４）。
さらに、制御部４９６は、ユーザ状況記憶部４９４及び条件情報記憶部４９３を参照して、現在の各ユーザの状況に応じて実行されるべき操作指示情報を抽出する（Ｓ８０５）。それから制御部４９６は、信号情報記憶部４９２を参照して、抽出された操作指示情報に対応するリモコン信号を抽出すると共に、リモコン信号発信部４９５を制御して、当該リモコン信号を発信させる（Ｓ８０６）。
【０１８０】
以上の処理により、複数ユーザの状況に応じた操作が自動的に実行されるため、複数ユーザのうちの誰かが自宅から離れても、いずれかのユーザが自宅にいる限り、照明等を消さないようにしたり、複数ユーザのうちの一人でも、自宅に近づいたときには自宅の照明等を点けたりするようにしたりすることができる。
【０１８１】
なお、条件情報には、操作対象機器５の操作指示情報が関連付けられているが、操作対象機器５の操作以外に、ユーザ情報記憶部４９１を参照して、位置情報を伝えてきたユーザ以外のユーザに、当該位置情報を伝えてきたユーザの位置情報を送信する命令を記憶するようにしてもよい。例えば、ユーザＡ〜Ｃの３人のユーザがいる場合に、ユーザＣが自宅に近づいたときには、ユーザＡ、Ｂに連絡がいくようにし、さらには当該ユーザＡ、Ｂによる承認を受けて操作対象機器５が操作されるようにすることもできる。これにより例えば、一ユーザである子どもの帰宅を親に知らせたり、子どもが扱うのに危険な操作対象機器５については、親の承認を必要とするようにしたりすることができる。
【０１８２】
また、ユーザ情報記憶部４９４に記憶されたデータは、各ユーザからの要求に応じて、提供されるようにしてもよい。
【０１８３】
また、本例では、携帯端末１Ｊが判断処理部１９２を備えるものとしたが、これに限らず、リモコンサーバ４Ｊに判断処理部１９２と同様の機能部を備えさせてもよい。この場合には、位置情報取得部１９１によって取得した位置情報を随時、リモコンサーバ４Ｊに送信し、位置情報の取得の都度、リモコンサーバ４Ｊ側で判断処理部１９２と同様の処理を実行させればよい。
【０１８４】
また、以上の実施形態において、リモコンサーバ４Ａ〜４Ｊが備えるものとした信号情報記憶部や条件情報記憶部など、リモコン信号の発信の制御、及びデータ通信のための機能以外の機能部は、外部のＷｅｂサーバに持たせるようにすることもできる。
【符号の説明】
【０１８５】
１Ａ        携帯端末、                      １Ｂ        携帯端末、
１Ｃ        携帯端末、                      １Ｄ        携帯端末、
１Ｅ        携帯端末、                      １Ｆ        携帯端末、
１Ｇ        携帯端末、                      １Ｈ        携帯端末、
１Ｉ        携帯端末、                      １Ｊ        携帯端末、
１０        小型無線機、
１０１      識別情報記憶部、                １０２      許否情報記憶部、
１０３      通信状況記憶部、                １０４      識別情報検知部、
１０５      通信確立部、                    １０６      通信網判別部、
１０７      操作許否判別部、                １０８      入出力部、
１０９      通信処理部、                    １１１      識別情報記憶部、
１１２      ＵＩ記憶部、                    １１３      通信状況記憶部、
１１４      識別情報検知部、                １１５      通信確立部、
１１６      通信網判別部、                  １１７      ＵＩ抽出部、
１１８      入出力部、                      １１９      通信処理部、
１２１      識別情報記憶部、                １２２      通信状況記憶部、
１２３      識別情報検知部、                １２４      通信確立部、
１２５      入出力部、                      １２６      通信処理部、
１３１      識別情報記憶部、                １３２      通信状況記憶部、
１３３      識別情報検知部、                １３４      通信確立部、
１３５      入出力部、                      １３６      通信処理部、
１４１      ＵＩ記憶部、                    １４２      入出力部、
１４３      通信処理部、                    １５１      入出力部、
１５２      通信処理部、                    １６１      ユーザ情報記憶部、
１６２      情報処理部、                    １６３      通信処理部、
１８１      位置情報取得部、                １８２      判断処理部、
１８３      通信処理部、                    １９１      位置情報取得部、
１９２      判断処理部、                    １９３      通信処理部、
２Ａ        通信中継装置、                  ２Ｂ        通信中継装置、
２Ｃ        通信中継装置、                  ２Ｄ        通信中継装置、
２Ｆ        通信中継装置、
２０１      設定情報記憶部、                ２０２      識別情報発信部、
２０３      通信処理部、                    ２１１      設定情報記憶部、
２１２      識別情報発信部、                ２１３      通信処理部、
２２１      設定情報記憶部、                ２２２      識別情報発信部、
２２３      通信処理部、                    ２３１      設定情報記憶部、
２３２      識別情報発信部、                ２３３      通信処理部、
２５１      通信処理部、
３Ａ        外部サーバ、                    ３Ｂ        外部サーバ、
３Ｃ        外部サーバ、                    ３Ｄ        外部サーバ、
３Ｅ        外部サーバ、                    ３Ｆ        外部サーバ、
３Ｇ        外部サーバ、                    ３Ｈ        外部サーバ、
３Ｉ        外部サーバ、                    ３Ｊ        外部サーバ、
４Ａ        リモコンサーバ、                ４Ｂ        リモコンサーバ、
４Ｃ        リモコンサーバ、                ４Ｄ        リモコンサーバ、
４Ｅ        リモコンサーバ、                ４Ｆ        リモコンサーバ、
４Ｇ        リモコンサーバ、                ４Ｈ        リモコンサーバ、
４Ｉ        リモコンサーバ、                ４Ｊ        リモコンサーバ、
４０１      信号情報記憶部、                ４０２      リモコン信号発信部、
４０３      制御部、                        ４０４      通信処理部、
４０５      許否情報記憶部、                ４０６      通信網判別部、
４０７      操作許否判断部、                ４１１      信号情報記憶部、
４１２      リモコン信号発信部、            ４１３      制御部、
４１４      通信処理部、                    ４２１      信号情報記憶部、
４２２      切替情報記憶部、                ４２３      リモコン信号発信部、
４２４      制御部、                        ４２５      通信処理部、
４３１      信号情報記憶部、                ４３２      競合情報記憶部、
４３３      履歴情報記憶部、                ４３４      競合判定部、
４３５      リモコン信号発信部、            ４３６      制御部、
４３７      通信処理部、                    ４４１      信号情報記憶部、
４４２      リモコン信号受信部、            ４４３      制御部、
４４４      通信処理部、                    ４５１      信号情報記憶部、
４５２      履歴情報記憶部、                ４５３      リモコン信号発信部、
４５４      制御部、                        ４５５      通信処理部、
４６１      信号情報記憶部、                ４６２      条件情報記憶部、
４６３      リモコン信号発信部、            ４６４      制御部、
４６５      通信処理部、                    ４７１      信号情報記憶部、
４７２      条件情報記憶部、                ４７３      リモコン信号発信部、
４７４      制御部、                        ４７５      通信処理部、
４８１      信号情報記憶部、                ４８２      条件情報記憶部、
４８３      リモコン信号発信部、            ４８４      制御部、
４８５      通信処理部、                    ４９１      ユーザ情報記憶部、
４９２      信号情報記憶部、                ４９３      条件情報記憶部、
４９４      ユーザ状況記憶部、              ４９５      リモコン信号発信部、
４９６      制御部、                        ４９７      通信処理部、
５          操作対象機器、
６Ｆ        レコメンド装置、
６５１      レコメンド情報記憶部、          ６５２      属性判定部、
６５３      レコメンド情報抽出部、          ６５４      通信処理部、
７          改札装置、
８          ＩＣカード、
８０１      ユーザ情報記憶部、              ８０２      送受信処理部、
ＮＷ１      広域通信網、                    ＮＷ２      構内通信網、
ＮＷ３      構内通信網
【図１】
0006014811.tif 000002
【図２】
0006014811.tif 000003
【図３】
0006014811.tif 000004
【図４】
0006014811.tif 000005
【図５】
0006014811.tif 000006
【図６】
0006014811.tif 000007
【図７】
0006014811.tif 000008
【図８】
0006014811.tif 000009
【図９】
0006014811.tif 000010
【図１０】
0006014811.tif 000011
【図１１】
0006014811.tif 000012
【図１２】
0006014811.tif 000013
【図１３】
0006014811.tif 000014
【図１４】
0006014811.tif 000015
【図１５】
0006014811.tif 000016
【図１６】
0006014811.tif 000017
【図１７】
0006014811.tif 000018
【図１８】
0006014811.tif 000019
【図１９】
0006014811.tif 000020
【図２０】
0006014811.tif 000021
【図２１】
0006014811.tif 000022
【図２２】
0006014811.tif 000023
【図２３】
0006014811.tif 000024
【図２４】
0006014811.tif 000025
【図２５】
0006014811.tif 000026
【図２６】
0006014811.tif 000027
【図２７】
0006014811.tif 000028
【図２８】
0006014811.tif 000029
【図２９】
0006014811.tif 000030
【図３０】
0006014811.tif 000031
【図３１】
0006014811.tif 000032
【図３２】
0006014811.tif 000033
【図３３】
0006014811.tif 000034
【図３４】
0006014811.tif 000035
【図３５】
0006014811.tif 000036
【図３６】
0006014811.tif 000037